(57)【特許請求の範囲】
【請求項１】
厚み方向を投入方向に対し略直交させた姿勢で紙幣が側方から投入されるとともに、投入された紙幣を上下に集積させながら仕切部材上に一時貯留させる一時貯留部と、
該一時貯留部に一時貯留された紙幣を上側から押圧し前記仕切部材を越えるように下方に押し込むプッシャと、
該プッシャを昇降させる昇降機構部と、
前記プッシャで前記一時貯留部から前記仕切部材を越えて押し込まれた紙幣を収納する収納部と、
該収納部に収納された紙幣を最下のものから繰り出す紙幣繰出部と、
を有する一時貯留・収納繰出部を備えた紙幣入出金機であって、
前記プッシャは、前記一時貯留部に側方から紙幣が投入される際に該一時貯留部の上部の案内位置に位置して、投入される紙幣を案内するとともに、前記紙幣繰出部で前記収納部の紙幣を繰り出す際に、該収納部の紙幣を上側から押圧するもので、
前記昇降機構部は、昇降駆動されるとともに前記プッシャを少なくとも下側から支持可能な昇降部を有しており、
該昇降部には、前記プッシャを前記案内位置に位置させる際には該プッシャを少なくとも下方から支持するとともに、該案内位置よりも下側で前記プッシャにより前記一時貯留部に一時貯留された紙幣を上側から押圧し前記仕切部材を越えて前記収納部に押し込む際には前記プッシャを前記昇降部に一体的に連結させ、さらに前記一時貯留部から紙幣を前記収納部に押し込んだ位置よりも下側で前記プッシャにより前記収納部の紙幣を上側から押圧させる際には、該プッシャが自重のみで紙幣を押圧可能となるように該プッシャと前記昇降部との連結を解除する連結機構部が設けられていることを特徴とする紙幣入出金機。
【請求項２】
前記プッシャは、前記一時貯留部に一時貯留された紙幣を上側から押圧し前記仕切部材を越えて前記収納部に押し込む際に紙幣と接触するプッシャ本体が水平面に対し傾斜可能とされており、前記案内位置に位置する状態で、前記プッシャ本体を位置固定の当接部材に当接させて側方から投入される紙幣を案内可能な傾斜状態にすることを特徴とする請求項１記載の紙幣入出金機。
【請求項３】
前記収納部は、前記一時貯留部から前記仕切部材を越えて押し込まれた紙幣を載置させるとともに、載置させた紙幣を前記紙幣繰出部で繰り出す際に繰出位置まで下降する昇降可能な紙幣載置台を有しており、該紙幣載置台は前記昇降機構部により昇降させられることを特徴とする請求項１または２記載の紙幣入出金機。
【請求項４】
前記繰出位置にあるとき、前記紙幣載置台は、少なくとも紙幣繰出側の先端部が位置固定の繰出ベースよりも下側に位置することにより、紙幣の少なくとも繰出側の先端部を該繰出ベース上に載置させることを特徴とする請求項３記載の紙幣入出金機。
【請求項５】
前記連結機構部は、前記プッシャを前記収納部から前記仕切部材を越えて前記一時貯留部に上昇させる際にも、前記プッシャを一体的に前記昇降部に連結させることを特徴とする請求項１乃至４のいずれか一項記載の紙幣入出金機。
【請求項６】
前記紙幣載置台は、付勢手段により常時上方向に付勢されており、
前記昇降機構部は、前記昇降部を下降させることにより該昇降部で前記紙幣載置台を押圧して下降させる一方、
前記紙幣載置台は、前記昇降部が前記プッシャを少なくとも前記案内位置に位置させた状態では、前記昇降部による押圧が解除されて前記付勢手段の付勢力により紙幣を前記仕切部材との間で挟持することを特徴とする請求項１乃至５のいずれか一項記載の紙幣入出金機。
【請求項７】
前記一時貯留・収納繰出部が上下に複数組設けられており、これら一時貯留・収納繰出部の前記昇降機構部を共用化していることを特徴とする請求項１乃至６のいずれか一項記載の紙幣入出金機。
【請求項８】
複数の前記一時貯留・収納繰出部は、いずれか一つが五千券用であり、他のいずれか一つが二千券用であることを特徴とする請求項７記載の紙幣入出金機。
【発明の詳細な説明】
【０００１】
【発明の属する技術分野】
本発明は、入金された紙幣を収納する一方、収納した紙幣を出金用として繰り出す還流式の紙幣入出金機に関する。
【０００２】
【従来の技術】
従来、銀行等の金融機関では、入金する紙幣を一枚ずつ取り込み、その取り込んだ紙幣の金種等を識別し振り分けて、金種別に設けられた一時貯留・収納繰出部の上部の一時貯留部に一時貯留させるとともに、必要に応じて、その紙幣を一時貯留・収納繰出部の下部の収納繰出部に収納し、さらに、収納繰出部に収納した紙幣を、出金処理において出金用の紙幣として出金させる還流式の紙幣入出金機が用いられている。このような紙幣入出金機としては、既に、特開平１−２９６３９７号公報に開示されたもの等がある。
【０００３】
この紙幣入出金機の一時貯留・収納繰出部においては、上部に設けられた一時貯留部がスライド開閉式の仕切部材を有しており、厚み方向を投入方向に対し略直交させた姿勢で側方から投入される紙幣をこの仕切部材上に一時貯留させるとともに、必要に応じて、この仕切部材を開作動させることにより一時貯留部からその下側の収納部の昇降可能な紙幣載置台上に落下させて収納するようになっている。また、収納部に収納させた紙幣を繰り出させる際には、紙幣載置台を下降させるとともに、収納部に対し進退可能なビルプレス専用のビルプレス部材で収納部の紙幣を上側から押圧することにより繰り出しのための摩擦力を十分に発生させるようにして、下部の紙幣繰出部により紙幣を繰り出すようになっている。
【０００４】
【発明が解決しようとする課題】
ところで、上記従来の紙幣入出金機は、一時貯留部がスライド開閉式の仕切部材を有していることから、これら仕切部材のスライドを許容するためのスペースが一時貯留・収納繰出部の両外側に必要であった、また、収納部に対し進退可能なビルプレス専用のビルプレス部材を有しているため、このビルプレス部材を非使用時に収納部から退避させておくためのスペースも一時貯留・収納繰出部の外側に必要であった。これらの点から、一時貯留・収納繰出部が大型化し、ひいては紙幣入出金機全体が大型化してしまうという問題があった。
【０００５】
また、上記従来の紙幣入出金機では、一時貯留・収納繰出部がビルプレス専用のビルプレス部材を有している等、部品点数が多く構造が複雑でコストが高いという問題もあった。
【０００６】
したがって、本発明は、一時貯留・収納繰出部を小型化でき、しかも部品点数を減らし構造を簡素化してコストを低減することができる紙幣入出金機の提供を目的とする。
【０００７】
【課題を解決するための手段】
上記目的を達成するために、本発明の請求項１記載の紙幣入出金機は、厚み方向を投入方向に対し略直交させた姿勢で搬送されてきた紙幣が側方から投入されるとともに、投入された紙幣を上下に集積させながら仕切部材上に一時貯留させる一時貯留部と、該一時貯留部に一時貯留された紙幣を上側から押圧し前記仕切部材を越えるように下方に押し込むプッシャと、該プッシャを昇降させる昇降機構部と、前記プッシャで前記一時貯留部から前記仕切部材を越えて押し込まれた紙幣を収納する収納部と、該収納部に収納された紙幣を最下のものから繰り出す紙幣繰出部と、を有する一時貯留・収納繰出部を備えたものであって、前記プッシャは、前記一時貯留部に側方から紙幣が投入される際に該一時貯留部の上部の案内位置に位置して、投入される紙幣を案内するとともに、前記紙幣繰出部で前記収納部の紙幣を繰り出す際に、該収納部の紙幣を上側から押圧するもので、前記昇降機構部は、昇降駆動されるとともに前記プッシャを少なくとも下側から支持可能な昇降部を有しており、該昇降部には、前記プッシャを前記案内位置に位置させる際には該プッシャを少なくとも下方から支持するとともに、該案内位置よりも下側で前記プッシャにより前記一時貯留部に一時貯留された紙幣を上側から押圧し前記仕切部材を越えて前記収納部に押し込む際には前記プッシャを前記昇降部に一体的に連結させ、さらに前記一時貯留部から紙幣を前記収納部に押し込んだ位置よりも下側で前記プッシャにより前記収納部の紙幣を上側から押圧させる際には、該プッシャが自重のみで紙幣を押圧可能となるように該プッシャと前記昇降部との連結を解除する連結機構部が設けられていることを特徴としている。
【０００８】
このように、一時貯留部に投入された紙幣を仕切部材上に一時貯留させた後、この一時貯留部に一時貯留された紙幣をプッシャで上側から押圧し仕切部材を越えるように下方の収納部に押し込むものであるため、仕切部材をスライドさせる必要はなく、仕切部材のスライドを許容するためのスペースを一時貯留・収納繰出部の両外側に設ける必要がなくなる。しかも、プッシャが、一時貯留部に側方から紙幣が投入される際に一時貯留部の上部の案内位置に位置して、投入される紙幣を案内するガイドを構成するとともに、紙幣繰出部で収納部の紙幣を繰り出す際に、収納部の紙幣を上側から押圧するビルプレスを構成する。よって、専用のビルプレス部材が不要となるため、ビルプレス部材を非使用時に収納部から退避させておくためのスペースを一時貯留・収納繰出部の外側に設ける必要もなくなる。また、プッシャがガイドおよびビルプレスを兼用するため、専用のガイドおよびビルプレス部材が不要であり部品点数を低減できる。
また、連結機構部が、プッシャを案内位置に位置させる際には該プッシャを少なくとも下方から支持するとともに、該案内位置よりも下側でプッシャにより一時貯留部に一時貯留された紙幣を上側から押圧し仕切部材を越えて収納部に押し込む際にはプッシャを昇降部に一体的に連結させ、さらに一時貯留部から紙幣を収納部に押し込んだ位置よりも下側でプッシャにより収納部の紙幣を上側から押圧させる際には、該プッシャが自重のみで紙幣を押圧可能となるように該プッシャと昇降部との連結を解除するため、昇降部の昇降制御と連結機構部の連結状態の切り換えのみで、プッシャをガイド、プッシャおよびビルプレスとして作動させることができる。
【０００９】
本発明の請求項２記載の紙幣入出金機は、請求項１記載のものに関して、前記プッシャは、前記一時貯留部に一時貯留された紙幣を上側から押圧し前記仕切部材を越えて前記収納部に押し込む際に紙幣と接触するプッシャ本体が水平面に対し傾斜可能とされており、前記案内位置に位置する状態で、前記プッシャ本体を位置固定の当接部材に当接させて側方から投入される紙幣を案内可能な傾斜状態にすることを特徴としている。
【００１０】
このように、プッシャは、一時貯留部に一時貯留された紙幣を上側から押圧し仕切部材を越えて収納部に押し込む際に紙幣と接触するプッシャ本体が水平面に対し傾斜可能とされているため、一時貯留部の紙幣の状態に対応してプッシャ本体が傾斜して良好に紙幣を収納部に押し込むことができる。しかも、プッシャが案内位置に位置して投入される紙幣を案内する際に、プッシャ本体を位置固定の当接部材に当接させて側方から投入される紙幣を案内可能な傾斜状態にするため、当接部材を設けるのみで良好にプッシャ本体を傾斜状態にすることができる。
【００１１】
本発明の請求項３記載の紙幣入出金機は、請求項１または２記載のものに関して、前記収納部は、前記一時貯留部から前記仕切部材を越えて押し込まれた紙幣を載置させるとともに、載置させた紙幣を前記紙幣繰出部で繰り出す際に繰出位置まで下降する昇降可能な紙幣載置台を有しており、該紙幣載置台は前記昇降機構部により昇降させられることを特徴としている。
【００１２】
このように、収納部の紙幣載置台も昇降機構部により昇降させられるため、紙幣載置台専用の昇降機構部が不要となる。
【００１３】
本発明の請求項４記載の紙幣入出金機は、請求項３記載のものに関して、前記繰出位置にあるとき、前記紙幣載置台は、少なくとも紙幣繰出側の先端部が位置固定の繰出ベースよりも下側に位置することにより、紙幣の少なくとも繰出側の先端部を該繰出ベース上に載置させることを特徴としている。
【００１４】
このように、紙幣繰出部によって紙幣を繰り出させる際に、紙幣載置台が少なくとも紙幣繰出側の先端部が位置固定の繰出ベースよりも下側に位置することにより、紙幣の少なくとも繰出側の先端部を繰出ベース上に載置させるため、紙幣繰出部は、紙幣を位置固定の繰出ベースで案内して繰り出すことができる。
【００１７】
本発明の請求項５記載の紙幣入出金機は、請求項１乃至４のいずれか一項記載のものに関して、前記連結機構部は、前記プッシャを前記収納部から前記仕切部材を越えて前記一時貯留部に上昇させる際にも、前記プッシャを一体的に前記昇降部に連結させることを特徴としている。
【００１８】
このように、連結機構部が、プッシャを収納部から仕切部材を越えて一時貯留部に上昇させる際に、プッシャを一体的に昇降部に連結させるため、新たな連結のための動作を必要とすることなく自動的にプッシャと昇降部とを連結させることができ、また、上昇途中もしくは上昇直後においてもすぐさま再び収納部への下降を行わせることができる。
【００１９】
本発明の請求項６記載の紙幣入出金機は、請求項１乃至５のいずれか一項記載のものに関して、前記紙幣載置台は、付勢手段により常時上方向に付勢されており、前記昇降機構部は、前記昇降部を下降させることにより該昇降部で前記紙幣載置台を押圧して下降させる一方、前記紙幣載置台は、前記昇降部が前記プッシャを少なくとも前記案内位置に位置させた状態では、前記昇降部による押圧が解除されて前記付勢手段の付勢力により紙幣を前記仕切部材との間で挟持することを特徴としている。
【００２０】
このように、紙幣載置台を付勢手段により常時上方向に付勢し、これを必要に応じて昇降機構部の昇降部が押し下げるように構成されているため、紙幣載置台専用の昇降機構部が不要となる。しかも、紙幣載置台は、一時貯留部に紙幣を受け入れるため昇降部がプッシャを少なくとも案内位置に位置させた状態では、昇降部による押圧が解除されて付勢手段の付勢力により紙幣を前記仕切部材との間で挟持する。
【００２１】
本発明の請求項７記載の紙幣入出金機は、請求項１乃至６のいずれか一項記載のものに関して、前記一時貯留・収納繰出部が上下に複数組設けられており、これら一時貯留・収納繰出部の前記昇降機構部を共用化していることを特徴としている。
【００２２】
このように、上下に複数組設けられた一時貯留・収納繰出部について昇降機構部を共用化するため、昇降機構部を別々に設ける場合に比して、さらに部品点数を減らし構造を簡素化してコストを一層低減することができる。
【００２３】
本発明の請求項８記載の紙幣入出金機は、請求項７記載のものに関して、複数の前記一時貯留・収納繰出部は、いずれか一つが五千券用であり、他のいずれか一つが二千券用であることを特徴としている。
【００２４】
このように、上下に複数組設けた一時貯留・収納繰出部は、収納量が少なくて済む五千券用と二千券用であるため、上下に設けても全体を大型化してしまうことがない。
【００２５】
【発明の実施の形態】
本発明の紙幣入出金機の一実施形態である貨幣入出金機を図面を参照して以下に説明する。なお、各図において矢印Ｘ方向が、操作を行うオペレータ側すなわち前方（正面側）を示す。また、以下において特に記載のない場合、「前」はオペレータ側、「後」はオペレータに対し反対側であり、左右は、オペレータ側から見たときの左右である。
【００２６】
この貨幣入出金機は、銀行等の金融機関のテラーカウンタの下側に配置され、左右の二人のテラー等のオペレータに共用で用いられるもので、図１に示すように、紙幣の入金、収納、回収および出金等、紙幣に関する各処理を行う紙幣入出金部１１と、硬貨の入金、収納、回収および出金等、硬貨に関する各処理を行う硬貨入出金部１２とが一体的に設けられたものである。
【００２７】
硬貨入出金部１２は、機体１０における上部に主として配置されており、紙幣入出金部１１と硬貨入出金部１２の一部とが、機体１０における下部に硬貨入出金部１２よりも前方に突出するように配置されている。なお、硬貨入出金部１２および紙幣入出金部１１は、機体１０の正面側に引き出し可能となっており、これらを機体１０に対しロックおよびロック解除する引出キー１３が紙幣入出金部１１の正面側に設けられている。
【００２８】
貨幣入出金機には、その機体１０の上面の正面（前面）側の左右両側に、上方に向いて、左右のオペレータにより各処理の操作が入力される操作部１４と処理状態等を表示する表示ランプ部１５とが設けられており、また、右側にのみ、処理のガイドメニュー、処理状態および処理結果等を表示する表示パネル１６が設けられている。なお、これら操作部１４、表示ランプ部１５および表示パネル１６は、硬貨入出金部１２および紙幣入出金部１１に対し共用とされている。
【００２９】
また、機体１０の上面の正面より若干後側の左右方向における中央には、硬貨入出金部１２に入金硬貨を投入するための硬貨入金口１７が設けられており、硬貨入出金部１２の下部すなわち紙幣入出金部１１側には、正面から後方に凹んで受皿挿入口１８が設けられている。この受皿挿入口１８には図示せぬ受皿が挿入されることになり、硬貨入出金部１２は、このように受皿挿入口１８に挿入された状態の受皿に硬貨の出金を行う。受皿挿入口１８と隣り合う位置にはリジェクト硬貨を返却するための硬貨リジェクト口１９が設けられている。
【００３０】
紙幣入出金部１１の硬貨入出金部１２よりも正面側に突出する部分の上面には、その最も正面側の左右方向の中央に、紙幣入出金部１１の内部から紙幣が送り出される紙幣出金口２０が設けられるとともに、この紙幣出金口２０の後に、入金する紙幣がオペレータによりセットされる紙幣入金口２１が設けられている。なお、紙幣出金口２０には、これを開閉するシャッタ２２が設けられている。ここで、紙幣入出金部１１のこれら紙幣出金口２０および紙幣入金口２１と隣り合う側方位置には、硬貨入出金部１２の一部である硬貨一括金庫２３が設けられている。この硬貨一括金庫２３は硬貨を収納するもので、機体１０に対し着脱可能とされており、この硬貨一括金庫２３の正面側には、これを機体１０に対しロックおよびロック解除する取出キー２３ａが設けられている。また、紙幣入出金部１１の下部正面には電源スイッチ２７が設けられている。
【００３１】
紙幣入出金部１１は、紙幣入金口２１にその長手方向を左右方向とした状態でセットされる紙幣を入金させて収納する入金処理を行うとともに、収納した紙幣を必要に応じて紙幣出金口２０ヘ出金させる出金処理等の紙幣における各処理を行う。
【００３２】
以下に、本発明の要部である紙幣入出金部について説明する。
図２に示すように、紙幣入出金部１１は、主として紙幣入金口２１から取り込まれた紙幣、あるいは紙幣出金口２０に向け出金させられる紙幣を搬送する上層ユニット２４と、入金され上層ユニット２４で搬送された紙幣を入金確定操作前に金種別に一時貯留させる中層ユニット２５と、中層ユニット２５に一時貯留させた紙幣を入金確定操作後に収納する一方、収納した紙幣を出金用として繰り出す下層ユニット２６と、中層ユニット２５および下層ユニット２６の後側に配置された状態で上部ユニット２４に着脱可能に連結される後部ユニット２４Ａとを有している。中層ユニット２５および下層ユニット２６は、それぞれ個別に貨幣入出金機の機体１０から正面側に引き出し可能とされており、上部ユニット２４は、後部ユニット２４Ａとの連結が解除された状態では単独で正面側に引き出し可能とされ、後部ユニット２４Ａと連結させられた状態では、中層ユニット２５および下層ユニット２６を引き出した状態でのみ正面側に引き出し可能とされている。なお、図１に示すように、機体１０の右側部の正面側には、後端縁部において鉛直軸回りに回転可能となるように支持された開閉扉１０Ａが設けられている。
【００３３】
〔上層ユニット〕
上層ユニット２４は、入金処理時において入金紙幣がセットされ該セットされた入金紙幣を一枚ずつ機内に取り込む上記した紙幣入金口２１と、入金処理時等における識別不能なリジェクト紙幣が繰り出されるとともに、出金処理時において機内から出金紙幣が繰り出される上記した紙幣出金口２０と、この紙幣出金口２０を開閉する上記したシャッタ２２と、入金紙幣を必要な場所に搬送するとともに出金紙幣を必要に応じた場所に搬送する搬送路２８と、この搬送路２８の搬送途中に設けられ、入金処理時等において紙幣入金口２１から繰り出され搬送路２８で搬送される紙幣の真偽、金種、正損、重送および斜行の識別を行う識別部２９とを有している。なお、搬送路２８の途中には、識別部２９の識別結果から紙幣の表裏を判断し、紙幣の表裏を取り揃えるために必要により紙幣の表裏を反転させる表裏反転部３０が設けられている。
【００３４】
〔中層ユニット〕
中層ユニット２５には、上層ユニット２４の搬送路２８にそれぞれつながりこの搬送路２８から振り分けられた入金紙幣を取り入れる各紙幣取入部３２が設けられており、また、これら紙幣取入部３２のそれぞれの前側に、入金紙幣を、その取り引きが確定するまで一時貯留させる複数具体的には三つの同形状の一時貯留部３３ａ，３３ｂ，３３ｃが、左右方向および高さ方向の位置を互いに合わせた状態で前後方向に位置をずらして直線状に配列されている。ここで、これら三つの一時貯留部３３ａ〜３３ｃは、紙幣取入部３２側からは紙幣の送り込みのみが可能となっており、紙幣取入部３２側への紙幣の繰り出しは不可となっている。なお、これら一時貯留部３３ａ〜３３ｃに一時貯留された紙幣を入金確定せずに返却する場合、中層ユニット２５を機体１０から引き出すことによって、これら一時貯留部３３ａ〜３３ｃをすべて機体１０の外側に露出させることになり、その結果、内部に一時貯留させた紙幣のオペレータによる取り出しを可能とする。
【００３５】
一時貯留部３３ａ〜３３ｃは、それぞれ、対応する紙幣取入部３２によって、厚み方向を略上下方向に向けかつ厚み方向を投入方向に対し略直交させた姿勢で投入される紙幣を内部に取り込む略角筒状の筐体３５と、筐体３５の下部に設けられ、筐体３５内に取り込んだ一時貯留紙幣を表裏方向を上下方向にして、上下方向に順次集積させながら載置させる開閉可能な一対のシャッタ３６，３６とを有しており、一対のシャッタ３６，３６は高さが一定で水平移動することにより筐体３５の下部を開閉する。なお、筐体３５の内側のシャッタ３６，３６よりも上側の部分が紙幣を一時貯留させる貯留空間３７となっている。
【００３６】
〔下層ユニット〕
下層ユニット２６には、各一時貯留部３３ａ〜３３ｃの下側に、これらのうち対応するものに一時貯留された紙幣を入金確定後に受け入れて内部に収納する一方、内部に収納した紙幣を最下のものから一枚ずつ紙幣繰出部３９によって繰り出し可能な複数具体的には三つの同形状の収納繰出部３８ａ，３８ｂ，３８ｃが、左右方向および高さ方向の位置を互いに合わせた状態で前後方向に位置をずらして配列されている。
【００３７】
ここで、中層ユニット２５および下層ユニット２６がともに機体１０に適正に装填された状態で、各一時貯留部３３ａ〜３３ｃとそれぞれの真下の各収納繰出部３８ａ〜３８ｃとで一時貯留・収納繰出部４０ａ〜４０ｃを構成することになり、同形状のこのような三つの一時貯留・収納繰出部４０ａ〜４０ｃが、左右方向および高さ方向の位置を互いに合わせた状態で前後方向に位置をずらして配列されることになる。
【００３８】
すなわち、最も前側の一時貯留部３３ａと最も前側の収納繰出部３８ａとが最も前側の一時貯留・収納繰出部４０ａを構成し、前から二番目の一時貯留部３３ｂと前から二番目の収納繰出部３８ｂとが前から二番目の一時貯留・収納繰出部４０ｂを構成し、前から三番目の一時貯留部３３ｃと前から三番目の収納繰出部３８ｃとが前から三番目の一時貯留・収納繰出部４０ｃを構成している。なお、これら三つの一時貯留・収納繰出部４０ａ〜４０ｃのうち、後側の二つは、金種別のものであり、具体的には前から二番目の一時貯留・収納繰出部４０ｂは流通量の多い万券（一万円札）用、前から三番目の一時貯留・収納繰出部４０ｃは流通量の多い千券（一千円札）用となっている。また、最も前側の一時貯留・収納繰出部４０ａは一金種のみに対応するものではなく、各処理に応じて適宜の紙幣を収納させたり補充用の紙幣を収納させる運用カセットとして使用され、通常は、入金された流通量の少ない五千券（五千円札）および二千券（二千円札）の複数金種を共用で収納させるようになっている。運用カセットとして使用されることから、収納繰出部３８ａ〜３８ｃのうち、最も前側の収納繰出部３８ａは、機体１０から引き出された下層ユニット２６に対し着脱可能とされており、残りの収納繰出部３８ｂ，３８ｃは、下層ユニット２６に対し固定されている。
【００３９】
下層ユニット２６には、前から三番目の一時貯留・収納繰出部４０ｃの後側において、中層ユニット２５を介して搬送路２８につながるとともに、すべての一時貯留・収納繰出部４０ａ〜４０ｃの下側を通って、最も前側の一時貯留・収納繰出部４０ａの前方で、中層ユニット２５を介して搬送路２８につながり、各収納繰出部３８ａ〜３８ｃから繰り出された出金紙幣等を搬送する搬送路４２が設けられている。搬送路４２の途中に、搬送する紙幣の金種、重送および斜行等を判別する判別部４３が設けられている。
【００４０】
さらに、下層ユニット２６には、出金処理時において搬送路４２で搬送される出金紙幣のうち判別部４３で重送あるいは斜行等の搬送異常と判別された出金紙幣を、繰り出し不可な状態で収納させるリジェクト収納部４４が、前方に開閉自在に設けられている。なお、下層ユニット２６の前面には、図１に示すように、リジェクト収納部４４内のリジェクト紙幣を取り外す際に開閉される扉４４ａとこれを開く際に必要なキー４４ｂとが設けられている。
【００４１】
収納繰出部３８ａ〜３８ｃは、それぞれ、一時貯留部３３ａ〜３３ｃのうちの対応する一つから一時貯留紙幣を内部に取り込む略角筒状の筐体４５を有しており、また、筐体４５内に取り込んだ収納紙幣を表裏方向を上下方向にして、上下方向に集積させながら載置させる昇降可能かつ開閉可能な一対の扉式のフラッパ４６，４６とを有している。
【００４２】
フラッパ４６，４６は、筐体４５の前後に互いに平行をなしかつ同高さとなるよう配置されるとともにこの状態でガイド軸４７，４７に沿って一体に昇降する支持軸４８，４８を有しており、これら支持軸４８，４８を中心に揺動する。そして、フラッパ４６，４６は、自身が互いの支持軸４８に対し反対の端部同士を近接させることにより共に筐体４５内で水平配置される閉状態となり、この状態で、一時貯留部３３ａ〜３３ｃの対応する一つから投入された紙幣をその上側に載置させる。また、フラッパ４６，４６は、この閉状態から下方に旋回することで開状態となると、載置させていた紙幣を、筐体４５内のこれらフラッパ４６，４６より下側の出金紙幣収納用の収納空間４９に落とし込んで収納させる。さらに、フラッパ４６，４６は、この開状態から上方に旋回することで閉状態に戻る。なお、収納空間４９の最下部に紙幣を搬送路４２に繰り出すための紙幣繰出部３９が設けられている。
【００４３】
〔後部ユニット〕
機体１０内における中層ユニット２５および下層ユニット２６の後側に設けられた後部ユニット２４Ａには、搬送路２８および搬送路４２で搬送され対応する紙幣取入部５０から送り込まれる紙幣を一時貯留させる一時貯留部５１ｄ，５１ｅが上下に離間して設けられており、各一時貯留部５１ｄ，５１ｅの下側には、一時貯留部５１ｄ，５１ｅの対応するものに一時貯留された紙幣を受け入れて収納する一方、収納した紙幣を最下のものから紙幣繰出部５４により繰り出し可能な収納繰出部（収納部）５２ｄ，５２ｅがそれぞれ設けられている。
【００４４】
各一時貯留部５１ｄ，５１ｅとそれぞれの真下の各収納繰出部５２ｄ，５２ｅとで一時貯留・収納繰出部５３ｄ，５３ｅを構成することになり、これら複数具体的には二つの一時貯留・収納繰出部５３ｄ，５３ｅが、上下に重ねられた状態で配置されている。すなわち、一時貯留部５１ｄと収納繰出部５２ｄとが上側の一時貯留・収納繰出部５３ｄを構成し、一時貯留部５１ｅと収納繰出部５２ｅとが下側の一時貯留・収納繰出部５３ｅを構成している。なお、これら一時貯留・収納繰出部５３ｄ，５３ｅは、機体１０に対し引き出しは可能であるものの着脱は不可とされている。
【００４５】
これら複数組の一時貯留・収納繰出部５３ｄ，５３ｅは、幅および奥行きが等しいもので、互いに左右方向および前後方向の位置を合わせた状態で、上下に重ねられるように配置されている。結果的に、これら上下に重ね状態で配置された二つの一時貯留・収納繰出部５３ｄ，５３ｅは、これら一時貯留・収納繰出部５３ｄ，５３ｅ以外のすべての上記した一時貯留・収納繰出部４０ａ〜４０ｃよりも機体１０の後部側に配置されている。
【００４６】
これら一時貯留・収納繰出部５３ｄ，５３ｅは、それぞれ、搬送路２８あるいは搬送路４２の対応する紙幣取入部５０によって、厚み方向を略上下方向に沿わせかつ厚み方向を投入方向に対し略直交させた姿勢で投入される対応金種の紙幣を内部に取り込む略角筒状の筐体５５を有している。
【００４７】
また、一時貯留・収納繰出部５３ｄ，５３ｅは、それぞれ、紙幣取入部５０によって筐体５５内に側方から投入される紙幣を表裏方向を上下方向にして上下方向に順次集積させながら載置させる扉式（回転式）の上部フラッパ（仕切部材）５６Ａを複数有している。これら上部フラッパ５６Ａは、すべて、揺動中心が同高さで位置固定とされており、内側に突出し水平に沿う状態を維持するように付勢されている。これら上部フラッパ５６Ａは、この付勢力に抗して下方向に揺動可能とされる一方、上方向の揺動が一つを除いて規制されている。
【００４８】
加えて、一時貯留・収納繰出部５３ｄ，５３ｅは、それぞれ、上部フラッパ５６Ａよりも所定量下側に、扉式（回転式）の下部フラッパ（仕切部材）５６Ｂを複数有している。これら下部フラッパ５６Ｂは、揺動中心が同高さで位置固定とされており、内側に突出し水平に沿う状態を維持するように付勢されている。これら下部フラッパ５６Ｂは、この付勢力に抗して下方向に揺動可能とされる一方、上方向の揺動がすべて規制されている。
【００４９】
さらに、一時貯留・収納繰出部５３ｄ，５３ｅは、それぞれ、筐体５５の上部フラッパ５６Ａよりも上側で待機するとともに、複数の上部フラッパ５６Ａに載置された一時貯留紙幣を上側から下方に向けて押圧し複数の上部フラッパ５６Ａおよび複数の下部フラッパ５６Ｂを順次開作動させながら、これら上部フラッパ５６Ａおよび下部フラッパ５６Ｂを越えるように下方に押し込む昇降可能なプッシャ５７と、筐体５５内の複数の下部フラッパ５６Ｂよりも下側においてのみ昇降可能に設けられ、プッシャ５７で上部フラッパ５６Ａおよび下部フラッパ５６Ｂを越えて押し込まれた紙幣を載置させる紙幣載置台５８とを有している。
【００５０】
そして、一時貯留・収納繰出部５３ｄ，５３ｅは、いずれにおいても、複数の上部フラッパ５６Ａおよび複数の下部フラッパ５６Ｂによって筐体５５内の上下方向に連続する空間を上下に区画することになり、これによって、一時貯留・収納繰出部５３ｄは、上部フラッパ５６Ａより上側に配置された状態にあるプッシャ５７と、複数の上部フラッパ５６Ａと、これらプッシャ５７および上部フラッパ５６Ａの筐体５５内における間の貯留空間６０とで、紙幣を一時貯留させる一時貯留部５１ｄが構成される。それとともに、下部フラッパ５６Ｂと、紙幣載置台５８と、これら下部フラッパ５６Ｂおよび紙幣載置台５８の筐体５５内における間の収納空間６１と、筐体５５の最下部に設けられて紙幣を搬送路４２に繰り出すための紙幣繰出部５４とで、紙幣を収納するとともに必要に応じて繰り出す収納繰出部５２ｄが構成される。そして、一時貯留部５１ｄの貯留空間６０に一時貯留されていた紙幣をプッシャ５７が上部フラッパ５６Ａおよび下部フラッパ５６Ｂを越えて下方に押し込むことにより収納繰出部５２ｄの収納空間６１に収納させることになる。なお、収納繰出部５２ｄの収納空間６１に収納される紙幣は出金用の紙幣になる。
【００５１】
同様に、一時貯留・収納繰出部５３ｅにおいては、上部フラッパ５６Ａより上側に配置された状態にあるプッシャ５７と、上部フラッパ５６Ａと、これらプッシャ５７および上部フラッパ５６Ａの筐体５５内における間の貯留空間６０とで、紙幣を一時貯留させる一時貯留部５１ｅが構成される。それとともに、下部フラッパ５６Ｂと、紙幣載置台５８と、これら下部フラッパ５６Ｂおよび紙幣載置台５８の筐体５５内における間の収納空間６１と、筐体５５の最下部に設けられて紙幣を搬送路４２に繰り出すための紙幣繰出部５４とで、紙幣を収納するとともに必要に応じて繰り出す収納繰出部５２ｅが構成される。そして、一時貯留部５１ｅの貯留空間６０に一時貯留されていた紙幣をプッシャ５７が上部フラッパ５６Ａおよび下部フラッパ５６Ｂを越えて下方に押し込むことにより収納繰出部５２ｅの収納空間６１に収納することになる。なお、収納繰出部５２ｅの収納空間６１に収納される紙幣も出金用の紙幣になる。
【００５２】
ここで、一時貯留・収納繰出部５３ｄ，５３ｅにおいては、紙幣取入部５０側からは紙幣の送り込みのみが可能となっており、紙幣取入部５０側への紙幣の繰り出しは不可となっている。
【００５３】
また、一時貯留・収納繰出部５３ｄ，５３ｅのいずれにおいても、筐体５５の最下部に設けられた紙幣を搬送路４２に繰り出すための紙幣繰出部５４は、紙幣載置台５８が最下の繰出位置に位置した状態でこの紙幣載置台５８上の紙幣を最下のものから繰り出すようになっている。
【００５４】
上部フラッパ５６Ａおよび下部フラッパ５６Ｂについて、主に図３〜図１２を参照してさらに説明する。
【００５５】
一時貯留・収納繰出部５３ｄ，５３ｅのいずれにおいても、図３および図４に示すように、複数の上部フラッパ５６Ａは、それぞれ、筐体５５の内面に沿って水平かつ同高さとなるように配置される位置固定の支持軸６３Ａを基端部側に有しており、支持軸６３Ａを中心に揺動する。複数の上部フラッパ５６Ａは、それぞれの支持軸６３Ａに対し反対の先端部同士を互いに近接させることにより共に筐体５５内で水平配置される閉状態となり、この状態で、上側の貯留空間６０に投入された紙幣をその上側に載置させる。ここで、上部フラッパ５６Ａは、支持軸６３Ａを挿通させた状態のネジリバネ６４Ａで閉状態を維持するように付勢されており、この閉状態から先端部を上昇させる方向への揺動は規制され下方向にのみ揺動可能とされている。そして、上部フラッパ５６Ａは、この閉状態からネジリバネ６４Ａの付勢力に抗して先端部を下降させるように旋回することで筐体５５の内面に近接し略鉛直に沿う開状態となる。さらに、上部フラッパ５６Ａは、この開状態からバネ等の付勢力で先端部を上昇させるように旋回することで閉状態に戻る。ここで、上部フラッパ５６Ａのネジリバネ６４Ａは、載置させる紙幣の重量程度では上部フラッパ５６Ａの閉状態を確実に維持できる付勢力を有している。
【００５６】
一時貯留・収納繰出部５３ｄ，５３ｅのいずれにおいても、図３および図４に示すように、複数の下部フラッパ５６Ｂは、それぞれ、筐体５５の内面に沿って水平かつ同高さとなりしかも上記支持軸６３Ａよりも所定量低い位置に配置された位置固定の支持軸６３Ｂを基端部側に有しており、支持軸６３Ｂを中心に揺動する。複数の下部フラッパ５６Ｂは、それぞれの支持軸６３Ｂに対し反対の先端部同士を互いに近接させることにより共に筐体５５内で水平配置される閉状態となり、この状態で、下側の収納空間６１に収納された紙幣の上昇を規制する。ここで、下部フラッパ５６Ｂは、支持軸６３Ｂを挿通させた状態のネジリバネ６４Ｂで閉状態を維持するように付勢されており、この閉状態から先端部を上昇させる方向への揺動は規制され下方向にのみ揺動可能とされている。そして、下部フラッパ５６Ｂは、この閉状態からネジリバネ６４Ｂの付勢力に抗して先端部を下降させるように旋回することで筐体５５の内面に近接し略鉛直に沿う開状態となり、その結果、紙幣を下側の収納空間６１に受け渡す。さらに、下部フラッパ５６Ｂは、この開状態からネジリバネ６４Ｂの付勢力で先端部を上昇させるように旋回することで閉状態に戻る。
【００５７】
ここで、一時貯留・収納繰出部５３ｄにおいて、複数の上部フラッパ５６Ａは、紙幣取入部５０によって厚み方向を投入方向に対し略直交させた姿勢で側方から筐体５５の投入口５５Ａを介して一時貯留部５１ｄ内に投入された紙幣を載置させるものであるため、可能な限り一時貯留部５１ｄ内における面積が広くなるように設定されている。これに対して、複数の下部フラッパ５６Ｂは、一時貯留部５１ｄから収納繰出部５２ｄに押し込まれた紙幣の一時貯留部５１ｄへの戻りを規制することにより一時貯留部５１ｄの紙幣と収納繰出部５２ｄの紙幣との区分けを明確にするものであり、しかも紙幣載置台５８との間で紙幣を挟持状態で安定的に収納できるものであるため、収納繰出部５２ｄ内における面積が上部フラッパ５６Ａよりも狭くなるように設定されている。
【００５８】
上記のように広い面積を確保するため、上部フラッパ５６Ａの揺動半径（揺動中心から先端部までの長さ）は、下部フラッパ５６Ｂの揺動半径よりも大きく設定されており、しかも、下部フラッパ５６Ｂの揺動半径に、これら上部フラッパ５６Ａと下部フラッパ５６Ｂとの配置間隔を加算した長さ以下とされている。このように設定すれば、収納繰出部５２ｄの紙幣収納能力が下部フラッパ５６Ｂの開時の先端部の高さによって決められることになり、上部フラッパ５６Ａの影響を受けずに済む。
【００５９】
同様に、一時貯留・収納繰出部５３ｅにおいて、複数の上部フラッパ５６Ａは、紙幣取入部５０によって厚み方向を投入方向に対し略直交させた姿勢で側方から筐体５５の投入口５５Ａを介して一時貯留部５１ｅ内に投入された紙幣を載置させるものであるため、可能な限り一時貯留部５１ｅ内における面積が広くなるように設定されている。これに対して、複数の下部フラッパ５６Ｂは、一時貯留部５１ｅから収納繰出部５２ｅに押し込まれた紙幣の一時貯留部５１ｅへの戻りを規制することにより一時貯留部５１ｅの紙幣と収納繰出部５２ｅの紙幣との区分けを明確にするものであり、しかも紙幣載置台５８との間で紙幣を挟持状態で安定的に収納できるものであるため、収納繰出部５２ｅ内における面積が上部フラッパ５６Ａよりも狭くなるように設定されている。
【００６０】
上記のように広い面積を確保するため、上部フラッパ５６Ａの揺動半径（揺動中心から先端部までの長さ）は、下部フラッパ５６Ｂの揺動半径よりも大きく設定されており、しかも、下部フラッパ５６Ｂの揺動半径に、これら上部フラッパ５６Ａと下部フラッパ５６Ｂとの配置間隔を加算した長さ以下とされている。このように設定すれば、収納繰出部５２ｅの紙幣収納能力が下部フラッパ５６Ｂの開時の先端部の高さによって決められることになり、上部フラッパ５６Ａの影響を受けずに済む。
【００６１】
図５に示すように、プッシャ５７および紙幣載置台５８を昇降させるように駆動する昇降機構部７０は、上下に複数組設けられた一時貯留・収納繰出部５３ｄ，５３ｅに対し共用で設けられている。すなわち、昇降機構部７０は、下側の一時貯留・収納繰出部５３ｅの左右方向における一側に配置されたモータ７１とこのモータ７１の回転を伝達するギアボックス７２と、このギアボックス７２を介してモータ７１により回転させられる下部軸７３とを有しており、この下部軸７３は、下側の一時貯留・収納繰出部５３ｅの下方かつ後方において左右に延在している。
【００６２】
また、昇降機構部７０は、上側の一時貯留・収納繰出部５３ｄの上部かつ後方において左右に延在する左右一対の上部軸７５と、下部軸７３の軸線方向における両側に固定されたプーリ７６と、各上部軸７５に支持されたプーリ７７と、左右方向における同側のプーリ７６，７７同士の間に掛けられることにより上下に沿う左右一対の無端ベルト７８と、両無端ベルト７８に固定される昇降部７９とを有している。
【００６３】
これにより、図示せぬ制御部からの電気的な指令によりモータ７１が駆動され、このモータ７１の正逆回転によって下部軸７３、プーリ７６、無端ベルト７８およびプーリ７７が同期回転して、無端ベルト７８に連結された昇降部７９を昇降させることになる。
【００６４】
昇降部７９は、図６にも示すように、左右方向における中央の連結板部８１と、連結板部８１の上端部に、連結板部８１よりも左右方向に延出するように設けられた上板部８２と、連結板部８１の下端部に、連結板部８１よりも左右方向に延出するように設けられた下板部８３とを有する昇降板８４を有しており、この昇降板８４が上板部８２および下板部８３のそれぞれの両延出先端側において両側の無端ベルト７８に固定されている。
【００６５】
また、昇降板８４の上板部８２および下板部８３には、それぞれ、左右方向における中央に前方に突出するように左右一対の支持ピン８６が固定されており、上板部８２の各先端部側および下板部８３の各先端部側に、それぞれ揺動可能な連結機構部８７が設けられている。なお、上板部８２には、図５に示すように、側方に延出する検出片８８が一体的に設けられており、昇降板８４が昇降する際に検出片８８を検出可能な所定の上限位置に、上限位置センサ８９が位置固定で設けられ、昇降板８４が昇降する際に検出片８８を検出可能な所定の下限位置に、下限位置センサ９０が位置固定で設けられている。図示せぬ制御部は、検出片８８が上限位置センサ８９で検出されると、昇降部７９が上限位置に位置すると判定し、検出片８８が下限位置センサ９０で検出されると、昇降部７９が下限位置に位置すると判定する。そして、昇降部７９をこれら上限位置センサ８９で検出片８８が検出される上限位置と下限位置センサ９０で検出片８８が検出される下限位置との間で昇降させるようになっている。
【００６６】
上板部８２の一対の支持ピン８６および上板部８２の連結機構部８７は、上側の一時貯留・収納繰出部５３ｄに対し専用のものである。すなわち、上板部８２の支持ピン８６は、一時貯留・収納繰出部５３ｄのプッシャ５７のみを下側から支持可能であり、しかも、一時貯留・収納繰出部５３ｄの紙幣載置台５８のみを上側から押圧可能である。また、上板部８２の連結機構部８７は、高さ位置に応じて一時貯留・収納繰出部５３ｄのプッシャ５７のみを昇降部７９に対し連結および連結解除するものである。
【００６７】
同様に、下板部８３の一対の支持ピン８６および下板部８３の連結機構部８７は、下側の一時貯留・収納繰出部５３ｅに対し専用のものである。すなわち、下板部８３の支持ピン８６は、一時貯留・収納繰出部５３ｅのプッシャ５７のみを下側から支持可能であり、しかも、一時貯留・収納繰出部５３ｅの紙幣載置台５８のみを上側から押圧可能である。また、下板部８３の連結機構部８７は、高さ位置に応じて一時貯留・収納繰出部５３ｅのプッシャ５７のみを昇降部７９に対し連結および連結解除するものである。
【００６８】
上板部８２および下板部８３のそれぞれの連結機構部８７は、前後方向に沿う支持軸９１により中央において昇降板８４に揺動可能に連結された揺動部材９２と、揺動部材９２の一端部に支持軸９１と平行に設けられた連結ピン９３と、揺動部材９２の他端部に支持軸９１と平行に設けられたガイドローラ９４と、支持軸９１を中心に連結ピン９３を内側にガイドローラ９４を外側に位置させる方向に揺動部材９２を付勢するネジリバネ９５とを有している。そして、昇降部７９が昇降することにより、各連結機構部８７の各外側にそれぞれ位置固定で設けられた図５に示すガイド部材９６でガイドローラ９４が案内され、その結果、揺動部材９２はガイド部材９６の形状に応じて連結ピン９３を内側に位置させたり外側に位置させたりする。ここで、ガイド部材９６は、上部所定範囲が外側に凹む凹状ガイド部９６ａとされるとともに下部所定範囲が内側に突出する凸状ガイド部９６ｂとされており、凹状ガイド部９６ａで案内される際にガイドローラ９４は連結ピン９３を内側に位置させ、凸状ガイド部９６ｂで案内される際にガイドローラ９４は連結ピン９３を外側に位置させる。
【００６９】
一時貯留・収納繰出部５３ｄ，５３ｅのそれぞれの後側には、上下方向に沿う左右一対のガイド支柱９９が位置固定で設けられている。そして、一時貯留・収納繰出部５３ｄのプッシャ５７および紙幣載置台５８は、プッシャ５７が上側に紙幣載置台５８が下側に配置された状態で、一時貯留・収納繰出部５３ｄの後側に配置された共通のガイド支柱９９によって昇降が案内されるようになっている。同様に、一時貯留・収納繰出部５３ｅのプッシャ５７および紙幣載置台５８は、プッシャ５７が上側に紙幣載置台５８が下側に配置された状態で、一時貯留・収納繰出部５３ｅの後側に配置された共通のガイド支柱９９によって昇降が案内されるようになっている。
【００７０】
一時貯留・収納繰出部５３ｄのプッシャ５７は、一時貯留・収納繰出部５３ｄの後側のガイド支柱９９によって姿勢を維持したままで昇降が案内されるとともに昇降部７９の上板部８２の支持ピン８６により下側から支持され、しかも一部が前方に延出する形状をなす図３に示すプッシャアーム１０１を有しており、同様に、一時貯留・収納繰出部５３ｅのプッシャ５７は、一時貯留・収納繰出部５３ｅの後側のガイド支柱９９によって姿勢を維持したままで昇降が案内されるとともに昇降部７９の下板部８３の支持ピン８６ｅにより下側から支持され、しかも一部が前方に延出する形状をなすプッシャアーム１０１を有している。
【００７１】
一時貯留・収納繰出部５３ｄ，５３ｅのいずれにおいても、プッシャ５７は、プッシャアーム１０１に前後方向に沿って設けられた支持軸１０２と、この支持軸１０２に支持されることにより前後方向に沿う軸回りに揺動可能に設けられた支持部材１０３と、この支持部材１０３に左右方向に沿って設けられた揺動軸１０４と、この揺動軸１０４に支持されることにより左右方向に沿う軸回りに揺動可能に設けられたプッシャ本体１０５とを有しており、このプッシャ本体１０５の下面において、上部フラッパ５６Ａおよび下部フラッパ５６Ｂを越えて紙幣を下方に押し込む際に紙幣に接触する。ここで、このプッシャ本体１０５は、自重のみによっては水平状態とされ、紙幣等に接触することによって支持軸１０２および揺動軸１０４を中心に水平面に対し若干の角度範囲で傾斜可能に支持されている。
【００７２】
ここで、一時貯留・収納繰出部５３ｄのプッシャアーム１０１には、図５に示すように、左右方向における両側に内側に凹む凹部１０７が形成されており、この凹部１０７に対し上板部８２に設けられた連結機構部８７の連結ピン９３が進退する。同様に、一時貯留・収納繰出部５３ｅのプッシャアーム１０１には、左右方向における両側に内側に凹む凹部１０７が形成されており、この凹部１０７に下板部８３に設けられた連結機構部８７の連結ピン９３が進退する。
【００７３】
一時貯留・収納繰出部５３ｄ，５３ｅのいずれにおいても、ガイド部材９６の凹状ガイド部９６ａでガイドローラ９４が案内される状態では連結ピン９３は凹部１０７の下面１０９と水平方向において重なり合う一方、ガイド部材９６の凸状ガイド部９６ｂでガイドローラ９４が案内される状態では連結ピン９３は凹部１０７の下面１０９と水平方向において重なり合わない状態となる。なお、凹部１０７の下側には上部ほど外側に位置するように傾斜する傾斜面１１０が形成されている。
【００７４】
そして、一時貯留・収納繰出部５３ｄにおいては、プッシャアーム１０１が昇降部７９の上板部８２の支持ピン８６に支持された状態にあって上板部８２の連結機構部８７のガイドローラ９４がガイド部材９６の凹状ガイド部９６ａで案内される状態では、上板部８２の連結機構部８７の連結ピン９３は凹部１０７内において下面１０９と水平方向において重なり合う状態となる。その結果、一時貯留・収納繰出部５３ｄのプッシャアーム１０１はその一部が昇降部７９の上板部８２の連結ピン９３と上板部８２の支持ピン８６とで上下から挟まれて昇降部７９に対する昇降方向の移動が規制され、昇降部７９と一体的に昇降可能に連結させられた状態になる。
【００７５】
他方、一時貯留・収納繰出部５３ｄにおいては、プッシャアーム１０１が昇降部７９の上板部８２の支持ピン８６に支持された状態にあって上板部８２の連結機構部８７のガイドローラ９４がガイド部材９６の凸状ガイド部９６ｂで案内される状態では、上板部８２の連結機構部８７の連結ピン９３は凹部１０７内において下面１０９と水平方向において重なり合わない状態となり、その結果、プッシャアーム１０１は昇降部７９の上板部８２の支持ピン８６で下側からのみ支持された状態となって、プッシャアーム１０１は昇降部７９に対し単独で上方移動可能に切り離された状態になる。
【００７６】
同様に、一時貯留・収納繰出部５３ｅにおいては、プッシャアーム１０１が昇降部７９の下板部８３の支持ピン８６に支持された状態にあって下板部８３の連結機構部８７のガイドローラ９４がガイド部材９６の凹状ガイド部９６ａで案内される状態では、下板部８３の連結機構部８７の連結ピン９３は凹部１０７内において下面１０９と水平方向において重なり合う状態となる。その結果、一時貯留・収納繰出部５３ｅのプッシャアーム１０１はその一部が昇降部７９の下板部８３の連結ピン９３と下板部８３の支持ピン８６とで上下から挟まれて昇降部７９に対する昇降方向の移動が規制され、昇降部７９と一体的に昇降可能に連結させられた状態になる。
【００７７】
他方、一時貯留・収納繰出部５３ｅにおいては、プッシャアーム１０１が昇降部７９の下板部８３の支持ピン８６に支持された状態にあって下板部８３の連結機構部８７のガイドローラ９４がガイド部材９６の凸状ガイド部９６ｂで案内される状態では、下板部８３の連結機構部８７の連結ピン９３は凹部１０７の内において下面１０９と水平方向において重なり合わない状態となり、その結果、プッシャアーム１０１は昇降部７９の下板部８３の支持ピン８６で下側からのみ支持された状態となって、プッシャアーム１０１は昇降部７９に対し単独で上方移動可能に切り離された状態になる。
【００７８】
一時貯留・収納繰出部５３ｄ，５３ｅのいずれにおいても、プッシャ５７のプッシャ本体１０５は、図３に示すように、左右方向に沿う揺動軸１０４から前方に延出する状態でこの揺動軸１０４に揺動可能に支持された前側板（板状部材）１１５と、揺動軸１０４から後方に延出する状態でこの揺動軸１０４に揺動可能に支持された後側板（板状部材）１１６とを有しており、その結果、これら一対の前側板１１５および後側板１１６は揺動軸１０４で連結されてヒンジ構造とされている。また、前側板１１５および後側板１１６は、前側板１１５および後側板１１６の下面同士が互いに平面状をなす状態からそれぞれの揺動軸１０４に対し反対側を下降させる方向にのみ揺動可能とされている。プッシャ本体１０５は、これら前側板１１５および後側板１１６が互いの下面同士を平面状とする状態からそれぞれの揺動軸１０４に対し反対側を上昇させる方向にさらに揺動するのを規制する規制板１２０と、これら前側板１１５および後側板１１６の下面同士を互いに平面状をなす状態に維持するように付勢力を発生させるネジリバネ１２１とを有している。
【００７９】
一時貯留・収納繰出部５３ｄ，５３ｅのいずれにおいても、紙幣載置台５８は、ガイド支柱９９によって水平状態を維持したままで昇降が案内されるとともに一部が前方に延出する形状をなしており、図５に示すように、上端部の高さ位置が固定とされた引張バネ１２２の下端部に支持されている。
【００８０】
その結果、一時貯留・収納繰出部５３ｄにおいて、紙幣載置台５８は、引張バネ１２２によって上方向に常時付勢されており、その上面に上板部８２の支持ピン８６で当接する昇降部７９によって下方向に押圧されることにより引張バネ１２２の付勢力に抗して昇降部７９と一体的に下降する一方、昇降部７９による押圧が解除された状態では、引張バネ１２２の付勢力で上方に位置させられることになり、紙幣載置台５８は直接または紙幣を介して下部フラッパ５６Ｂに下方から当接して停止することになる。
【００８１】
同様に、一時貯留・収納繰出部５３ｅにおいて、紙幣載置台５８は、引張バネ１２２によって上方向に常時付勢されており、その上面に下板部８３の支持ピン８６で当接する昇降部７９によって下方向に押圧されることにより引張バネ１２２の付勢力に抗して昇降部７９と一体的に下降する一方、昇降部７９による押圧が解除された状態では、引張バネ１２２の付勢力で上方に位置させられることになり、紙幣載置台５８は直接または紙幣を介して下部フラッパ５６Ｂに下方から当接して停止することになる。
【００８２】
そして、一時貯留・収納繰出部５３ｄ，５３ｅのいずれにおいても、紙幣載置台５８は、その前側において水平延在する前側台部１２５と、その後側において水平延在する後側台部１２６とを有しており、前側台部１２５が後側台部１２６よりも若干低くなるようにこれらの間が折り曲げられた形状をなしている。
【００８３】
また、一時貯留・収納繰出部５３ｄ，５３ｅのいずれにおいても、紙幣繰出部５４は、前側の水平延在する前側ベース部１３０とその後側の一段低い位置で水平延在する後側ベース部１３１とを有する位置固定の繰出ベース１３２と、この繰出ベース１３２の前側ベース部１３０から一部上方に突出するように設けられた蹴出ローラ１３３と、前側ベース部１３０の前方に設けられた上下一対の分離ローラ１３４，１３５とを有している。
【００８４】
ここで、一時貯留・収納繰出部５３ｄ，５３ｅのいずれにおいても、前側ベース部１３０には、紙幣載置台５８の前側台部１２５を進入させることが可能なスリットが形成されており、紙幣載置台５８の前側台部１２５には繰出ベース１３２の前側ベース部１３０および蹴出ローラ１３３を進入させることが可能なスリットが形成されている。その結果、昇降部７９が下限位置まで下降した状態では、一時貯留・収納繰出部５３ｄ，５３ｅのいずれにおいても、昇降部７９に押圧されて下降した紙幣載置台５８はその前側台部１２５が繰出ベース１３２の前側ベース部１３０および蹴出ローラ１３３を越えて下がることになる。
【００８５】
ここで、昇降機構部７０が昇降部７９を上限位置まで上昇させると、図３に示すように、一時貯留・収納繰出部５３ｄにおいては、昇降部７９に一体的に連結されたプッシャ５７が投入口５５Ａ（紙幣取入部５０側）の若干上側の所定の案内位置に位置することになるが、この上昇途中で、位置固定の当接部材１３７にプッシャ本体１０５が後側板１１６で当接し、この状態から、昇降部７９が上限位置まで上昇させられることで、プッシャ本体１０５は、前側板１１５および後側板１１６の下面同士が互いに平面状をなす状態のまま、前側板１１５すなわち投入口５５Ａ側（紙幣取入部５０側）を上側に位置させるように傾斜する状態となる。
【００８６】
同様に、昇降機構部７０が昇降部７９を上限位置まで上昇させると、一時貯留・収納繰出部５３ｅにおいても、昇降部７９に一体的に連結されたプッシャ５７が投入口５５Ａ（紙幣取入部５０側）の若干上側の所定の案内位置に位置することになるが、この上昇途中で、位置固定の当接部材１３７にプッシャ本体１０５が後側板１１６側で当接し、この状態から、昇降部７９が上限位置まで上昇させられることで、プッシャ本体１０５は、前側板１１５および後側板１１６の下面同士が互いに平面状をなす状態のまま、前側板１１５すなわち投入口５５Ａ（紙幣取入部５０側）を上側に位置させるように傾斜する状態となる。
【００８７】
なお、このように、プッシャ本体１０５を傾斜させるためには、昇降部７９がプッシャ５７を少なくとも下側から支持していればよく、昇降部７９に連結されている必要はない。すなわち、昇降部７９が上限位置にあるとき、プッシャ５７との連結を解除するようにしてもよい。
【００８８】
上記の結果、昇降部７９を上限位置で停止させた状態では、一時貯留・収納繰出部５３ｄのプッシャ５７は、その一時貯留部５１ｄに紙幣取入部５０によって側方から筐体５５の投入口５５Ａを介して投入される紙幣を、投入先端側が徐々に下方に位置するように案内することで良好に下方の上部フラッパ５６Ａ上に集積させるように案内する案内状態になるとともに、一時貯留・収納繰出部５３ｅのプッシャ５７も、一時貯留部５１ｅに紙幣取入部５０によって側方から筐体５５の投入口５５Ａを介して投入される紙幣を、投入先端側が徐々に下方に位置するように案内することで良好に下方の上部フラッパ５６Ａ上に集積させるように案内する案内状態になる。なお、このように、昇降機構部７０が昇降部７９を上限位置に位置させ上側のプッシャ５７および下側のプッシャ５７を案内状態にした状態がこれらの待機状態となる。
【００８９】
ここで、昇降部７９が上記した上限位置から下側の所定の上部昇降範囲で昇降する際には、各連結機構部８７のガイドローラ９４がすべてガイド部材９６の凹状ガイド部９６ａで案内されることになり、一時貯留・収納繰出部５３ｄのプッシャ５７の凹部１０７の下面１０９に水平方向において重なり合うように上板部８２の連結機構部８７の連結ピン９３が位置するとともに一時貯留・収納繰出部５３ｅのプッシャ５７の凹部１０７の下面１０９に水平方向において重なり合うように下板部８３の連結機構部８７の連結ピン９３が位置する。その結果、この上部昇降範囲では、一時貯留・収納繰出部５３ｄのプッシャ５７は上板部８２の連結機構部８７の連結ピン９３と上板部８２の支持ピン８６とで昇降部７９に対する上下両方向の相対移動が規制されることになり、一時貯留・収納繰出部５３ｅのプッシャ５７も下板部８３の連結機構部８７の連結ピン９３と下板部８３の支持ピン８６とで昇降部７９に対する上下両方向の相対移動が規制されることになる。よって、一時貯留・収納繰出部５３ｄ，５３ｅのいずれのプッシャ５７も上部昇降範囲では昇降部７９と一体的に昇降するように連結させられる。
【００９０】
ここで、この上部昇降範囲の最下位置まで下降すると、昇降部７９は、図８に示すように、一時貯留・収納繰出部５３ｄのプッシャ５７のプッシャ本体１０５を一時貯留・収納繰出部５３ｄの上部フラッパ５６Ａさらには下部フラッパ５６Ｂを開作動させてこれらを下側に越える位置まで下降させると同時に、一時貯留・収納繰出部５３ｅのプッシャ５７のプッシャ本体１０５を一時貯留・収納繰出部５３ｅの上部フラッパ５６Ａさらには下部フラッパ５６Ｂを開作動させてこれらを下側に越える位置まで下降させることになる。
【００９１】
また、昇降部７９が、上記した上部昇降範囲よりも若干下側の連結解除位置から下限位置までの下部昇降範囲で昇降する際には、図９に示すように、各連結機構部８７のガイドローラ９４がガイド部材９６の凸状ガイド部９６ａで案内されることになり、一時貯留・収納繰出部５３ｄのプッシャ５７の凹部１０７の下面１０９に対し上板部８２の連結機構部８７の連結ピン９３を水平方向に重なり合わないように退避させるとともに一時貯留・収納繰出部５３ｅのプッシャ５７の凹部１０７の下面１０９に対し下板部８３の連結機構部８７の連結ピン９３を水平方向に重なり合わないように退避させることで上下のプッシャ５７に対する一体的な連結を解除する。その結果、図９〜図１１に示すように、各プッシャ５７は、昇降部７９に対し連結が解除されることになり、昇降部７９に対し相対的に昇降が可能となり、紙幣を自重により押圧可能となる。なお、昇降部７９がこの連結解除位置に位置することは、所定の高さ位置に設けられたプッシャ位置センサ１３８が連結が解除された直後位置のプッシャ５７の遮蔽板２００を検出することで判断される。
【００９２】
以上により、昇降機構部７０が昇降部７９を図３および図５に示す上限位置から上部昇降範囲で下降させることにより、一時貯留・収納繰出部５３ｄのプッシャ５７が、昇降部７９に連結されてこれと一体的に下降し、一時貯留部５１ｄの上部フラッパ５６Ａに一時貯留紙幣が載置されている場合は互いに平面状をなす前側板１１５および後側板１１６の下面で一時貯留紙幣を上側から押圧する。より詳しくは、プッシャ５７は、昇降部７９の支持ピン８６に支持されて昇降部７９とともに下降することになるが、下降中に、一時貯留紙幣に当接すると一時貯留紙幣で一時的に移動が規制されることで凹部１０７の下面１０９が昇降部７９の連結ピン９３に当接することになって、連結ピン９３を含む昇降部７９の下降により強制的に下降させられるのである。そして、このように昇降部７９と連結状態で下降して一時貯留紙幣を上側から押圧すると、一時貯留・収納繰出部５３ｄのプッシャ５７は、前側板１１５および後側板１１６の下面同士を互いに平面状としたまま、上部フラッパ５６Ａおよび下部フラッパ５６Ｂを直接または紙幣を介して押圧して下方に開作動させつつ下部フラッパ５６Ｂを越える位置すなわち収納繰出部５２ｄまで下降することになる（図８参照）。
【００９３】
上記と同期して、一時貯留・収納繰出部５３ｅのプッシャ５７も、昇降部７９に連結されてこれと一体的に下降し、一時貯留部５１ｅの上部フラッパ５６Ａに一時貯留紙幣が載置されている場合は互いに平面状をなす前側板１１５および後側板１１６の下面で一時貯留紙幣を上側から押圧する。そして、このように昇降部７９と連結状態で下降して一時貯留紙幣を上側から押圧すると、一時貯留・収納繰出部５３ｅのプッシャ５７は、前側板１１５および後側板１１６の下面を互いに平面状としたまま、上部フラッパ５６Ａおよび下部フラッパ５６Ｂを直接または紙幣を介して押圧して下方に開作動させつつ下部フラッパ５６Ｂを越える位置すなわち収納繰出部５２ｅまで下降することになる（図８参照）。
【００９４】
なお、以上においては、一時貯留・収納繰出部５３ｄ，５３ｅで一時貯留紙幣の量が異なることも勿論あり、このような場合は、紙幣量が多くて先に一時貯留紙幣に当接したプッシャ５７は昇降部７９の連結ピン９３で凹部１０７の下面１０９が押圧されて下降する状態となり、紙幣量が少なくて一時貯留紙幣に当接していないプッシャ５７は昇降部７９の支持ピン８６で支持されて自重により下降する状態となることもある。
【００９５】
そして、一時貯留・収納繰出部５３ｄ，５３ｅのいずれにおいても、上記したプッシャ５７による押圧で下部フラッパ５６Ｂを越えた新たな収納紙幣がある場合、この新たな収納紙幣が下部フラッパ５６Ｂと紙幣載置台５８あるいは紙幣載置台５８に既に載置されていた収納紙幣との間に押し込まれるとともに、この押し込みに応じて紙幣載置台５８が引張バネ１２２の付勢力に抗して下降させられる。その結果、プッシャ５７と紙幣載置台５８とで新たな収納紙幣を既に載置されていた収納紙幣と整列状態で一緒にして挟持する。
【００９６】
ここで、一時貯留・収納繰出部５３ｄ，５３ｅのいずれにおいても、プッシャ５７が下部フラッパ５６Ｂを完全に越える連結解除位置まで昇降部７９を下降させて停止させると、その停止直前に、下部フラッパ５６Ｂおよび上部フラッパ５６Ａは水平状態に戻ることになり、その一方で、連結解除位置においてプッシャ５７の昇降部７９に対する連結が解除される。すると、プッシャ５７と紙幣と紙幣載置台５８とが一体的に引張バネ１２２の付勢力で上昇する。
【００９７】
このとき、一時貯留・収納繰出部５３ｄにおいて、プッシャ５７と紙幣載置台５８との間の収納紙幣の収納量が所定量以上である場合、上昇する紙幣載置台５８が昇降部７９の上板部８２の支持ピン８６に当接する前にプッシャ５７が下部フラッパ５６Ｂに当接して上昇が規制され、プッシャ５７と紙幣と紙幣載置台５８とが停止することになる。一方、プッシャ５７と紙幣載置台５８との間の収納紙幣の収納量が所定量より少ない場合、上昇する紙幣載置台５８が昇降部７９の上板部８２の支持ピン８６に当接して上昇が規制され、プッシャ５７と紙幣と紙幣載置台５８とが停止することになる。このときプッシャ５７と下部フラッパ５６Ｂとの間には隙間が生じることもある。
【００９８】
同様に、一時貯留・収納繰出部５３ｅにおいて、プッシャ５７と紙幣載置台５８との間の収納紙幣の収納量が所定量以上である場合、上昇する紙幣載置台５８が昇降部７９の下板部８３の支持ピン８６に当接する前にプッシャ５７が下部フラッパ５６Ｂに当接して上昇が規制され、プッシャ５７と紙幣と紙幣載置台５８とが停止することになる。一方、プッシャ５７と紙幣載置台５８との間の収納紙幣の収納量が所定量より少ない場合、上昇する紙幣載置台５８が昇降部７９の下板部８３の支持ピン８６に当接して上昇が規制され、プッシャ５７と紙幣と紙幣載置台５８とが停止することになる。このときプッシャ５７と下部フラッパ５６Ｂとの間には隙間が生じることもある。
【００９９】
一時貯留・収納繰出部５３ｄ，５３ｅのいずれにおいても、この連結解除位置から昇降部７９を上限位置に向け上昇させると、プッシャ５７と紙幣載置台５８との間の収納紙幣の収納量が少ない状態では、プッシャ５７が下部フラッパ５６Ｂから下側に離間しており、言い換えればプッシャ５７の凹部１０７が連結ピン９３に対し高さ方向に近接しているため、ガイド部材９６によるガイドローラ９４の案内により連結ピン９３が内側に移動すると、連結ピン９３はネジリバネ９５の付勢力で直接プッシャ５７の凹部１０７内にその下面１０９に水平方向において重なり合うように入り込み、連結ピン９３がプッシャ５７の凹部１０７の上面１０８に当接しながらプッシャ５７を上昇させる。一方、プッシャ５７と紙幣載置台５８との間の収納紙幣の収納量が多い状態では、プッシャ５７が下部フラッパ５６Ｂに近接しており、言い換えればプッシャ５７の凹部１０７が連結ピン９３に対し高さ方向に離間しているため、ガイド部材９６によるガイドローラ９４の案内により連結ピン９３がネジリバネ９５の付勢力で内側に移動すると、プッシャ５７の凹部１０７よりも下側で内側に移動することになるが、凹部１０７よりも下側の傾斜面１１０で案内されて外側に移動した後にネジリバネ９５の付勢力で凹部１０７の下面１０９に水平方向において重なり合うように凹部１０７に入り込み、その後、連結ピン９３がプッシャ５７の凹部１０７の上面１０８に当接しながらプッシャ５７を上昇させる。
【０１００】
この上昇の際に、一時貯留・収納繰出部５３ｄ，５３ｅのいずれにおいても、下部フラッパ５６Ｂは水平状態が維持されることから、プッシャ５７は、下部フラッパ５６Ｂに押圧されてネジリバネ１２１の付勢力に抗して前側板１１５および後側板１１６を揺動軸１０４を中心に折り畳むように揺動させて、下部フラッパ５６Ｂを通過する。このときに、プッシャ５７は、紙幣の上部の押さえを下部フラッパ５６Ｂに渡すことになり、その結果、収納紙幣が下部フラッパ５６Ｂと紙幣載置台５８との間に引張バネ１２２の付勢力で挟持される。次に、プッシャ５７は、図１２に二点鎖線で示すように、上部フラッパ５６Ａに押圧されてネジリバネ１２１の付勢力に抗して前側板１１５および後側板１１６を揺動軸１０４を中心に折り畳むようにさらに揺動させて、上部フラッパ５６Ａを通過し、その後、ネジリバネ１２１の付勢力で前側板１１５および後側板１１６の下面同士を平面状に戻す。なお、上記のようにプッシャ５７が下部フラッパ５６Ｂおよび上部フラッパ５６Ａを越える直前から昇降部７９が上限位置まで上昇する範囲において、すべての連結ピン９３が凹部１０７の下面１０９に水平方向において重なり合うことになり両プッシャ５７は昇降部７９と一体的に連結させられて上昇する。
【０１０１】
以上の結果、一時貯留・収納繰出部５３ｄにおいては、プッシャ５７が案内位置に位置する状態を含んで下部フラッパ５６Ｂよりも上側に位置した状態では、収納紙幣が下部フラッパ５６Ｂと紙幣載置台５８との間に引張バネ１２２の付勢力で挟持された状態で収納繰出部５２ｄに収納されることになる。同様に、一時貯留・収納繰出部５３ｅにおいても、プッシャ５７が案内位置に位置する状態を含んで下部フラッパ５６Ｂよりも上側に位置した状態では、収納紙幣が下部フラッパ５６Ｂと紙幣載置台５８との間に引張バネ１２２の付勢力で挟持された状態で収納繰出部５２ｅに収納されることになる。
【０１０２】
一方、一時貯留・収納繰出部５３ｄ，５３ｅのいずれにおいても、昇降部７９を上記した連結解除位置からさらに下限位置まで下降させると、支持ピン８６が紙幣載置台５８に当接してこの紙幣載置台５８を引張バネ１２２の付勢力に抗して下降させることになり、紙幣載置台５８を紙幣繰出部５４による紙幣の繰り出しが可能な繰出位置に位置させる。このとき、昇降部７９はプッシャ５７に対し支持のみ可能となっているため、プッシャ５７は、収納紙幣に支持されることになり、その自重のみで収納紙幣を上から下方に押圧する状態で収納紙幣とともに下降することになる。
【０１０３】
ここで、一時貯留・収納繰出部５３ｄ，５３ｅのいずれにおいても、図１０に示すように、昇降部７９が下限位置に位置する状態では、紙幣載置台５８は、繰出位置に位置することになり、その前側台部１２５が紙幣繰出部５４の位置固定の繰出ベース１３２の前側ベース部１３０よりも下側に位置し、その結果、紙幣載置台５８上の紙幣は、繰出側の先端部が繰出ベース１３２の前側ベース部１３０上に載置されることになる（図１０においては、紙幣が前側ベース部１３０および蹴出ローラ１３３上に載置されていないが、これらは図示の便宜上のためであり、実際には非剛体である紙幣は、前側ベース部１３０および蹴出ローラ１３３上に載置されることになる）。そして、この状態で蹴出ローラ１３３が紙幣を最下のものから分離ローラ１３４，１３５の方向に蹴り出し、分離ローラ１３４，１３５で一枚ずつに分離しながら搬送路４２に繰り出させることになる。このときに、昇降部７９に対し連結が解除されているプッシャ５７が自重のみにより紙幣を下方に押圧し、蹴出ローラ１３３による蹴り出し時の摩擦力を増大させるビルプレスとして機能する。なお、紙幣載置台５８の全部を紙幣繰出部５４の位置固定の繰出ベース１３２よりも下側に位置させ、紙幣載置台５８上の紙幣を、全体にわたって繰出ベース１３２上に載置させるようにしても良い。このように、可動体である紙幣載置台５８の前側台部１２５を位置固定の繰出ベース１３２の前側ベース部１３０よりも下に下げて、紙幣載置台５８上の紙幣の前側部（繰出側）を繰出ベース１３２の前側ベース部１３０上に載せることで、繰り出す際の紙幣の位置を安定させることができ、良好な繰り出しを行うことが可能となる。
【０１０４】
そして、昇降部７９を下限位置から上昇させると、昇降部７９が支持ピン８６で支持している紙幣載置台５８とその上に支持された収納紙幣およびプッシャ５７を上昇させる。そして、昇降部７９の連結解除位置からの上昇は、上記と同様にして行われる。
【０１０５】
ここで、上下に重ね状態で配置された二つの一時貯留・収納繰出部５３ｄ，５３ｅは、両方とも同一の大きさで構成されているが、その収納部を異なる大きさで構成するようにしてもよい。
【０１０６】
また、これら二つの一時貯留・収納繰出部５３ｄ，５３ｅのそれぞれの上下方向長さは、これら一時貯留・収納繰出部５３ｄ，５３ｅ以外の上記した一時貯留・収納繰出部４０ａ〜４０ｃの上下方向長さよりも小さく設定されており、幅および奥行きは同等に設定されている。その結果、これら一時貯留・収納繰出部５３ｄ，５３ｅの収納繰出部５２ｄ，５２ｅは、それぞれ、これら以外の一時貯留・収納繰出部４０ａ〜４０ｃの収納繰出部３８ａ〜３８ｃのいずれよりも紙幣の収納容量が少なくなっている。
【０１０７】
さらに、これら二つの一時貯留・収納繰出部５３ｄ，５３ｅを合わせた全体の上下方向長さは、これら以外の上記した一時貯留・収納繰出部４０ａ〜４０ｃのそれぞれの上下方向長さとほぼ同等とされており、上側の一時貯留・収納繰出部５３ｄの最上部の高さ位置は、一時貯留・収納繰出部４０ａ〜４０ｃの最上部の高さ位置に対し同等以下、具体的には同高さ位置に設定されている。
【０１０８】
また、これら二つの一時貯留・収納繰出部５３ｄ，５３ｅは、これら以外のすべての一時貯留・収納繰出部４０ａ〜４０ｃとともに、左右方向の位置を合わせた状態で機体１０の前後方向に配列されている。
【０１０９】
さらに、これら二つの一時貯留・収納繰出部５３ｄ，５３ｅは、これら以外のすべての一時貯留・収納繰出部４０ａ〜４０ｃよりも機体１０の後部側に配置されている。
【０１１０】
加えて、これら二つの一時貯留・収納繰出部５３ｄ，５３ｅは金種別のものであり、いずれか一つが流通量の少ない五千券（五千円札）用とされ、他のいずれか一つが流通量の少ない二千券（二千円札）用とされている。例えば、上側の一時貯留・収納繰出部５３ｄは二千券が収納され、他の一つである下側の一時貯留・収納繰出部５３ｅは五千券が収納されるようになっている。ここで、一時貯留・収納繰出部５３ｄ，５３ｅに上記以外の金種の紙幣を収納するようにしてもよい。
【０１１１】
機体１０から中層ユニット２５および下層ユニット２６を引き出した状態で上層ユニット２４を引き出すと、この上層ユニット２４の後部に連結された後部ユニット２４Ａも上部ユニット２４と一体に前方に移動する。そして、上層ユニット２４および後部ユニット２４Ａを最も引き出した状態で、図１に示す機体１０の右側部の開閉扉１０Ａを開けると、後部ユニット２４Ａの右側部が機外に露出するようになっている。
【０１１２】
このようにして露出される後部ユニット２４Ａの右側部には、図１３〜図１５に示すように、一時貯留・収納繰出部５３ｄの右側部および一時貯留・収納繰出部５３ｅの右側部が含まれており、図１６に示すように、両一時貯留・収納繰出部５３ｄ，５３ｅの右側部には両一時貯留・収納繰出部５３ｄ，５３ｅ内を上下方向および前後方向の略全長にわたって開放可能な開口部１４１が両一時貯留・収納繰出部５３ｄ，５３ｅに連続するように形成されている。そして、この開口部１４１を開閉させる引き戸式のスライド体１４２が両一時貯留・収納繰出部５３ｄ，５３ｅに対し共用で一つ設けられている。
【０１１３】
スライド体１４２の高さ方向の中間所定位置には、前後方向に沿うハンドルバー１４３がスライド体１４２から機体右方に突出する状態で固定されており、オペレータは、このハンドルバー１４３を持った状態でスライド体１４２を手動によって機体前後方向にスライドさせる。また、スライド体１４２の下部所定位置には、スライド体１４２を閉じた状態にロックするキーシリンダ１４４が設けられている。
【０１１４】
後部ユニット２４Ａの右側部には、開口部１４１の上側となる位置に前後方向に沿ってガイドレール１４６が取り付けられており、開口部１４１の下側となる位置にも前後方向に沿ってガイドレール１４７が取り付けられている。そして、これらガイドレール１４６，１４７に、機体前後方向にスライドするように上記スライド体１４２が支持されている。ここで、スライド体１４２には、上部の前端部に上下左右に沿う支持部１４８が形成されており、また、下部の前端部および後端部にも上下左右に沿う支持部１４９が形成されていて、支持部１４８には、左右方向に長い長穴１５０が、支持部１４９にも左右方向に長い長穴１５１がそれぞれ形成されている。
【０１１５】
そして、上側の長穴１５０に上側のガイドレール１４６が挿通されるとともに、下側の長穴１５１に下側のガイドレール１４７が挿通されている。その結果、上下の長穴１５０，１５１が上下のガイドレール１４６，１４７に沿って移動することによりスライド体１４２が機体前後方向にスライドするとともに、長穴１５０，１５１の範囲内でスライド体１４２が機体左右方向にも移動可能となっている。
【０１１６】
また、後部ユニット２４Ａの右側部には、段付軸状の位置出部（案内部）１５３が左右方向に沿う状態で前後の複数カ所具体的には三カ所に設けられており、具体的には、前部の上下方向における中央位置と、後部の上部位置と、後部の下部位置とに配置されている。そして、スライド体１４２には、閉時にこれら位置出部１５３に嵌合する複数具体的には三つの嵌合穴１５４がそれぞれ対応位置に形成されている。
【０１１７】
位置出部１５３は、嵌合穴１５４を嵌合させる小径軸部１５５とこの小径軸部１５５に対し同軸かつ大径で嵌合穴１５４を嵌合させることがない大径軸部１５６とを有しており、各嵌合穴１５４に各小径軸部１５５を嵌合させることにより、スライド体１４２を各大径軸部１５６の小径軸部１５５側の端面１５７に当接させると、スライド体１４２は開口部１４１を適正に閉塞させる閉位置に位置決めされる。そして、この状態で、キーシリンダ１４４に鍵１５８を差し込み回転させることでスライド体１４２を閉位置にロックすることになる。
【０１１８】
一方、この状態から、キーシリンダ１４４に鍵１５８を差し込み回転させることでスライド体１４２のロックを解除した上で、小径軸部１５５を抜くようにスライド体１４２を長穴１５０，１５１の範囲で機体右方に引くことで、スライド体１４２は機体後方へのスライドが可能な状態となる。すなわち、位置出部１５３は、閉位置にあるスライド体１４２を閉位置から一旦スライドの方向とは異なる方向に移動させるように移動を案内し、この移動がなければスライドを規制するのである。
【０１１９】
スライド体１４２には、これによって開口部１４１を閉塞した状態においても、一時貯留部５１ｄ，５１ｅのそれぞれの右側部を個別に開放可能な小開口部１６０が上下に形成されており、各小開口部１６０には、それぞれを個別に開閉可能な小扉１６１がそれぞれに設けられている。各小扉１６０は、後端縁部が鉛直方向に沿う軸に回転可能に支持されている。各小扉１６０には、下部に機体右方に突出するハンドル部１６２が形成されており、また、その機体後端部に小扉１６０を閉状態に付勢するネジリバネ１６３が支持されている。
【０１２０】
そして、一時貯留部５１ｄ，５１ｅのいずれにおいても、右側部の上部フラッパ５６Ａに、近接する小扉１６１の開作動に連動してその先端側を上昇させるフラッパ上昇機構部（仕切部材上昇機構部）１６５が設けられている。すなわち、スライド体１４２の小開口部１６０の近傍において筐体５５に固定されるサイドガイド１６６に、図１７に示すように、前後方向に沿って支持軸６３Ａが設けられており、この支持軸６３Ａに右側部の上部フラッパ５６Ａと、この上部フラッパ５６Ａ用のネジリバネ６４Ａと、レバー１６８とが支持されている。ネジリバネ６４Ａの付勢力によって上部フラッパ５６Ａおよびレバー１６８は機体前方から見て時計回り方向に付勢されている。具体的には、ネジリバネ６４Ａが上部フラッパ５６Ａを直接付勢し、さらに上部フラッパ５６Ａがその当接部１７０においてレバー１６８に当接することでレバー１６８を付勢するようになっていて、レバー１６８はその当接部１７１においてサイドガイド１６６に当接することで所定位置からの回転が規制され、これらにより上部フラッパ５６Ａも所定位置からの回転が規制されている。その結果、レバー１６８が当接部１７１においてサイドガイド１６６に当接した状態では、右側部の上部フラッパ５６Ａがその先端部を基端部に対し所定量上側に位置させるように傾斜する。
【０１２１】
そして、図１８にも示す小扉１６１のネジリバネ１６３は、その一端の押圧部１７３がレバー１６８に当接可能とされており、小扉１６１が閉じられた状態ではレバー１６８を押圧し揺動させて右側部の上部フラッパ５６Ａを水平にする一方、オペレータがハンドル部１６２を引いて小扉１６１を開くと、押圧部１７３がレバー１６８から離れ、その結果、レバー１６８および右側部の上部フラッパ５６Ａがネジリバネ６４Ａの付勢力で、レバー１６８の当接部１７１がサイドガイド１６６に当接するまで揺動し、上部フラッパ５６Ａの先端部が上昇する。すると、上部フラッパ５６Ａに紙幣が載置されていた場合には、この紙幣の右側部を上昇させることになり、小開口部１６０の高さ位置に合わせることになって、紙幣の取り出しが容易となる。
【０１２２】
なお、ネジリバネ１６３でレバー１６８を揺動させるのではなく、小扉１６１の一部に小扉１６１を閉状態にする際にレバー１６８に接触して、これをネジリバネ６４Ａの付勢力に抗して揺動させる接触部材を設けてもよい。
【０１２３】
上側の小扉１６１は、一時貯留部５１ｄに通じる小開口部１６０を開閉させるものであり、収納繰出部５２ｄに収納させる前の一時貯留部５１ｄに一時貯留された紙幣を機体外へ回収する際に使用されるものである。同様に、下側の小扉１６１は、一時貯留部５１ｅに通じる小開口部１６０を開閉させるものであり、収納繰出部５２ｅに収納させる前の一時貯留部５１ｅに一時貯留された紙幣を機体外へ回収する際に使用されるものである。なお、各小扉１６１の開作動で取り出される紙幣は入金確定前の一時貯留部５１ｄ，５１ｅに一時貯留された紙幣であるが故に、返却作業を行い易くするように各小扉１６１に鍵は設けられていない。
【０１２４】
以上に述べた紙幣入出金部１１の各処理について説明する。
【０１２５】
「入金処理（入金確定前）」
オペレータにより入金させる紙幣が紙幣入金口２１にセットされ操作部１４に「入金処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図１９に太線で示す入金処理ルートで搬送させ、その途中の識別部２９の識別結果に基づいて振り分ける。すなわち、偽券を含む識別不能紙幣、重送、斜行等の搬送異常紙幣と判別された紙幣は紙幣出金口２０に送り出され、真券と判別された紙幣のうち真かつ汚損と識別された紙幣と、一時貯留・収納繰出部４０ｂ，４０ｃに収納しきれない真かつ正の紙幣とが、一時貯留・収納繰出部４０ａの一時貯留部３３ａに紙幣取入部３２から送り込まれ、その他の真かつ正と識別された紙幣は、適宜表裏反転部３０を通過させることで表裏が取り揃えられた後、一時貯留・収納繰出部４０ａ〜４０ｃの一時貯留部３３ａ〜３３ｃの対応する一つに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【０１２６】
具体的には、真かつ正と識別された紙幣のうち、万券は万券用の一時貯留・収納繰出部４０ｂの一時貯留部３３ｂに一時貯留され、千券は千券用の一時貯留・収納繰出部４０ｃの一時貯留部３３ｃに一時貯留される。ここで、これら以外の二千券および五千券は、混合状態で一時貯留・収納繰出部４０ａの一時貯留部３３ａに一時貯留される。さらに、一時貯留・収納繰出部４０ａの一時貯留部３３ａには、上記したように、真かつ汚損の各紙幣と、一時貯留・収納繰出部４０ｂ，４０ｃに収納しきれない真かつ正の紙幣も送り込まれる。
【０１２７】
そして、紙幣入金口２１からすべての紙幣が一旦繰り出され、紙幣出金口２０および一時貯留・収納繰出部４０ａ〜４０ｃの一時貯留部３３ａ〜３３ｃのいずれかに送り込まれると、制御部は、閉状態にあった紙幣出金口２０のシャッタ２２を開作動させるとともに、識別部２９の識別結果を図示せぬ上位機に表示させる。この上位機の表示からオペレータが入金確定操作を上位機または操作部１４に入力すると、制御部は、後述の「収納処理」を行うことになる。この場合、万券は万券用の一時貯留・収納繰出部４０ｂにおいて一時貯留部３３ｂから収納繰出部３８ｂに収納され、千券は千券用の一時貯留・収納繰出部４０ｃにおいて一時貯留部３３ｃから収納繰出部３８ｃに収納されることになるが、それ以外の二千券および五千券は、一時貯留・収納繰出部５３ｄ，５３ｅが紙幣の返却処理に適していないことから、混合状態で、返却処理に適した一時貯留・収納繰出部４０ａにおいて一時貯留部３３ａから収納繰出部３８ａに一時貯留される。すなわち、二千券および五千券は、「入金処理」から「収納処理」の流れでは、一時貯留・収納繰出部５３ｄ，５３ｅには収納されず、後述する「内部充填分配補充処理」によって、一時貯留・収納繰出部５３ｄ，５３ｅに収納される。他方、オペレータが入金キャンセル操作を上位機または操作部１４に入力すると、制御部は、後述の「返却処理」を行うことになる。
【０１２８】
「出金処理」
オペレータにより上位機または操作部１４に「出金処理」の実行入力がなされると、制御部は、金種別の一時貯留・収納繰出部４０ｂ，４０ｃ，５３ｄ，５３ｅのそれぞれの収納繰出部３８ｂ，３８ｃ，５２ｄ，５２ｅに収納させていた紙幣を紙幣繰出部３９，５４で最下のものから一枚ずつ分離して繰り出させ、搬送路４２，２８の所定部分で構成される図２０に太線で示す出金処理ルートに沿って搬送させ、その途中の判別部４３の判別結果に基づいて振り分ける。
【０１２９】
すなわち、判別部４３で正常と判別された紙幣は、紙幣出金口２０に送り出される一方、判別部４３で異常と判別された紙幣のうち重送および斜行と判定された搬送異常紙幣はすべてリジェクト収納部４４に送り込まれ、さらに、判別部４３で異常と判別された紙幣のうち、搬送異常以外と判定された紙幣すなわち判別不能紙幣および汚損紙幣は、運用カセットとしての一時貯留・収納繰出部４０ａの一時貯留部３３ａに一時貯留させる。
【０１３０】
このとき、一時貯留・収納繰出部５３ｄ，５３ｅの収納繰出部５２ｄ，５２ｅのうち少なくともいずれか一方から出金紙幣を繰り出す場合には、図示せぬ制御部が、待機状態にあった昇降部７９を昇降機構部７０によって上限位置から下限位置に下降させる。すると、一時貯留・収納繰出部５３ｄ，５３ｅの両方のプッシャ５７が昇降部７９と一体に連結された状態で下降し、プッシャ５７は、それぞれ、複数の上部フラッパ５６Ａを下方向に揺動させつつこれら上部フラッパ５６Ａを越えた後、複数の下部フラッパ５６Ｂを下方向に揺動させつつこれら下部フラッパ５６Ｂを越える。その際に、下部フラッパ５６Ｂで押さえていた収納紙幣の上部をプッシャ５７で押さえることになる。その後、プッシャ５７は昇降部７９に対する連結が解除され自重のみで収納紙幣上に載置される状態になるとともに、昇降部７９が紙幣載置台５８を繰出位置まで下降させる。すると、収納紙幣の前端側が繰出ベース１３２上に載置されることになるとともにプッシャ５７が自重により紙幣を押圧しビルプレスとして機能する。そして、収納繰出部５２ｄ，５２ｅのうち紙幣を繰り出させるものについてのみ紙幣繰出部５４の蹴出ローラ１３３および分離ローラ１３４，１３５を駆動して紙幣を搬送路４２に一枚ずつ繰り出させることになる。
【０１３１】
一方、一時貯留・収納繰出部５３ｄ，５３ｅの収納繰出部５２ｄ，５２ｅの出金紙幣の繰り出しが終了すると、昇降機構部７０により昇降部７９を下限位置から上限位置に上昇させる。すると、一時貯留・収納繰出部５３ｄ，５３ｅのいずれにおいても、引張バネ１２２の付勢力で紙幣載置台５８が昇降部７９とともに上昇する。そして、複数の下部フラッパ５６Ｂの下側で、昇降部７９が両プッシャ５７を一体的に連結させる。すると、昇降部７９とともに上昇するプッシャ５７は、それぞれ、下部フラッパ５６Ｂに当接し下部フラッパ５６Ｂによって前側板１１５と後側板１１６とを折り畳みながらこれを越えた後、同様にして上部フラッパ５６Ａを越える。プッシャ５７がそれぞれ下部フラッパ５６Ｂを越える際に、プッシャ５７で押さえられていた収納紙幣の上部が水平状態の下部フラッパ５６Ｂで押さえられることになり、引張バネ１２２の付勢力で紙幣載置台５８は、収納紙幣を下部フラッパ５６Ｂに押し付け、その結果、収納紙幣を下部フラッパ５６Ｂと紙幣載置台５８とで挟持する。昇降部７９が上限位置まで上昇すると、これに連結されたプッシャ５７が当接部材１３７に当接し案内位置に至って待機状態となる。
【０１３２】
出金用に繰り出されたすべての紙幣が、リジェクト収納部４４、紙幣出金口２０および一時貯留部３３ａに送り込まれると、一時貯留部３３ａは、シャッタ３６，３６を開作動させて、閉状態にある収納繰出部３８ａのフラッパ４６，４６上に紙幣を落とし込む。なお、フラッパ４６，４６上に載置された紙幣は、適宜のタイミングでフラッパ４６，４６から下方に落とし込まれ収納繰出部３８ａの収納空間４９に収納される。
【０１３３】
以上により、出金処理時に、金種別の一時貯留・収納繰出部４０ｂ，４０ｃ，５３ｄ，５３ｅから繰り出された紙幣のうち、判別部４３で搬送異常と判別された紙幣を、紙幣を繰り出し不可に収納させるリジェクト収納部４４に収納する一方、判別部４３で判別不能と判別された紙幣を、すべて複数金種に共用の一時貯留・収納繰出部４０ａに収納することになる。そして、この複数金種に共用の一時貯留・収納繰出部４０ａにおいては、後述する「内部充填分配補充処理」で、収納した紙幣を判別部４３で判別しかつ識別部２９で識別しつつ一時貯留・収納繰出部４０ｂ，４０ｃ，５３ｄ，５３ｅのうちの対応金種のものに分配収納させ、その後の「出金処理」において、各金種の一時貯留・収納繰出部４０ｂ，４０ｃ，５３ｄ，５３ｅから出金させることになるため、出金処理時に判別不能紙幣と判別された紙幣がいずれの金種の紙幣であってもこの分配収納により一時貯留・収納繰出部４０ｂ，４０ｃ，５３ｄ，５３ｅのうち適正な金種のものに収納されて、ここから出金させられることになる。
【０１３４】
「入金口分配補充処理」
金種別の一時貯留・収納繰出部４０ｂ，４０ｃ，５３ｄ，５３ｅの収納繰出部３８ｂ，３８ｃ，５２ｄ，５２ｅに紙幣を紙幣入金口２１から補充する場合、オペレータにより補充紙幣が紙幣入金口２１にセットされ操作部１４に「入金口分配補充処理」の実行入力がなされると、図示せぬ制御部は、紙幣入金口２１により、紙幣を一枚ずつ分離して繰り出させることになり、繰り出された紙幣を、搬送路２８，４２および紙幣取入部３２，５０の所定部分で構成される図２１に太線で示す入金口分配補充処理ルートで搬送させ、その途中の識別部２９の識別結果に基づいて振り分ける。
【０１３５】
すなわち、識別部２９において偽券を含む識別不能紙幣、重送、斜行等の搬送異常紙幣と判別された紙幣は、紙幣出金口２０に送り出され、真かつ汚損と識別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の真かつ正と識別された紙幣は、適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【０１３６】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、真かつ汚損の各紙幣が送り込まれる。
【０１３７】
このとき、一時貯留・収納繰出部５３ｄ，５３ｅの一時貯留部５１ｄ，５１ｅのいずれかに紙幣が一時貯留される場合には、昇降機構部７０によって昇降部７９が上限位置まで上昇させられた待機状態にあって、一時貯留・収納繰出部５３ｄ，５３ｅのいずれにおいても、プッシャ本体１０５は、前側板１１５および後側板１１６の下面同士が互いに平面状をなす状態まま、前側板１１５すなわち紙幣取入部５０側を上側に位置させるように傾斜させる案内位置に位置している。その結果、一時貯留・収納繰出部５３ｄの一時貯留部５１ｄおよび一時貯留・収納繰出部５３ｅの一時貯留部５１ｅのいずれにおいても、紙幣取入部５０によって側方から投入される紙幣は、プッシャ５７により投入先端側が徐々に下方に位置するように案内されて上部フラッパ５６Ａ上に良好に集積されながら載置されることになる。
【０１３８】
そして、紙幣入金口２１からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【０１３９】
「内部充填分配補充処理」
「入金処理」により一時貯留・収納繰出部４０ａの収納繰出部３８ａに収納された紙幣（主として二千券および五千券）を、金種別の一時貯留・収納繰出部４０ｂ，４０ｃ，５３ｄ，５３ｅに補充する場合には、操作部１４に「内部充填分配補充処理」の実行入力がなされると、図示せぬ制御部は、収納繰出部３８ａから、最下の紙幣を一枚ずつ分離して繰り出させることになり、繰り出された紙幣を、搬送路２８，４２および紙幣取入部３２の所定部分で構成される図２２に太線で示す内部充填分配補充処理ルートで搬送させ、その途中の判別部４３の判別結果および識別部２９の鑑別結果に基づいて振り分ける。
【０１４０】
すなわち、判別部４３で重送あるいは斜行の搬送異常とされた紙幣は、入金処理時に偽券でないことがすでに確認されているため、リジェクト収納部４４に送り込まれ、それ以外の紙幣は、識別部２９へと搬送される。そして、識別部２９で識別不能および汚損と判別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の紙幣は適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【０１４１】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、入金処理によって真かつ汚損の各紙幣が収納されるため、このような紙幣は、再び、一時貯留・収納繰出部４０ａの一時貯留部３３ａに送り込まれる。なお、入金時の二千券および五千券は返却処理に対応するために一旦混合状態で一時貯留・収納繰出部４０ａに収納されることになり、その後、このような「内部充填分配補充処理」で出金用に各一時貯留・収納繰出部５３ｄ，５３ｅにそれぞれ分配されるのである。
【０１４２】
このとき、一時貯留・収納繰出部５３ｄ，５３ｅの一時貯留部５１ｄ，５１ｅのいずれかに紙幣が一時貯留される場合には、「入金口分配補充処理」と同様に、一時貯留・収納繰出部５３ｄ，５３ｅのいずれにおいても、プッシャ本体１０５は、案内位置に位置しているため、一時貯留・収納繰出部５３ｄの一時貯留部５１ｄおよび一時貯留・収納繰出部５３ｅの一時貯留部５１ｅのいずれにおいても、紙幣取入部５０によって側方から投入される紙幣は、プッシャ５７により投入先端側が徐々に下方に位置するように案内されて上部フラッパ５６Ａ上に良好に集積されながら載置されることになる。
【０１４３】
このようにして、順次、収納繰出部３８ａに収納されている紙幣が、一時貯留部３３ｂ，３３ｃ，５１ｄ，５１ｅに送り込まれ、そのうちのいずれか一つが満杯となると、制御部は、一旦、収納繰出部３８ａからの紙幣の繰り出しを停止し、一時貯留部３３ｂ，３３ｃについてはシャッタ３６，３６を開作動させ、それ自身またはそれに載置された紙幣をシャッタ３６，３６に近接させて閉状態で待機している収納繰出部３８ｂ，３８ｃのフラッパ４６，４６に紙幣を受け渡し、フラッパ４６，４６をその上に載置された紙幣がシャッタ３６，３６に干渉しない位置まで下降させて、シャッタ３６，３６を閉作動させ一時貯留部３３ｂ，３３ｃを空にする。一方、一時貯留部５１ｄ，５１ｅについては、プッシャ５７で押し込むことにより上部フラッパ５６Ａ，５６Ａおよび下部フラッパ５６Ｂ，５６Ｂを開作動させつつ紙幣を紙幣載置台５８上に受け渡し、その後、プッシャ５７を案内位置まで上昇させることにより、下部フラッパ５６Ｂ，５６Ｂと紙幣載置台５８とで紙幣を挟持させる。なお、以上の動作を一時貯留部３３ｂ，３３ｃ，５１ｄ，５１ｅのうち満杯になった一つについてのみ行うようにしてもよいが、収納繰出部３８ａからの繰り出し中断の回数を減らすために、上記のように満杯になっていないものも含めてすべてについて行うようにする。
【０１４４】
そして、一時貯留部３３ｂ，３３ｃのシャッタ３６，３６の閉作動および一時貯留部５１ｄ，５１ｅのプッシャ５７の案内位置への移動が完了すると、制御部は、再び収納繰出部３８ａの収納空間４９から紙幣繰出部３９により紙幣を繰り出させ、紙幣の分配補充を再開する。
【０１４５】
以上を繰り返して、収納繰出部３８ａの収納空間４９からすべての紙幣が一旦繰り出され、リジェクト収納部４４および一時貯留・収納繰出部４０ａ〜４０ｃ，５３ｄ，５３ｅの一時貯留部３３ａ〜３３ｃ，５１ｄ，５１ｅのいずれかに送り出されると、制御部は、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【０１４６】
「外部充填分配補充処理」
なお、上記は、「入金処理」を経て収納繰出部３８ａに収納された紙幣を分配補充する「内部充填分配補充処理」を例にとり説明したが、機体１０外において補充紙幣を収納繰出部３８ａに充填しこれを機体１０に装填して同様の分配補充処理を行う「外部充填分配補充処理」の場合は、基本的には上記した「内部充填分配補充処理」と同様の図２３に太線で示す外部充填分配補充処理ルートで処理を行うことになるが、収納繰出部３８ａから送り出される紙幣には、偽券が含まれる可能性もあるので、判別部４３あるいは識別部２９で、偽券を含む判別不能紙幣とされた紙幣および重送、斜行等の搬送異常紙幣とされた紙幣は、すべて紙幣出金口２０に送り出すことになる。
【０１４７】
そして、収納繰出部３８ａの収納空間４９からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【０１４８】
「収納処理」
一時貯留・収納繰出部４０ａ〜４０ｃにおいて、一時貯留部３３ａ〜３３ｃに一時貯留させた紙幣等を収納繰出部３８ａ〜３８ｃの収納空間４９に収納させる。
【０１４９】
すなわち、上記した「入金処理」で入金確定操作が入力された場合、または、「入金口分配補充処理」、「内部充填分配補充処理」および「外部充填分配補充処理」で補充完了確認操作が入力された場合、制御部は、一時貯留部３３ａ〜３３ｃの紙幣を収納繰出部３８ａ〜３８ｃに、図２４に太線で示す収納処理ルートのように、受け渡す。
【０１５０】
このとき、一時貯留・収納繰出部４０ａ〜４０ｃについて、一時貯留部３３ａ〜３３ｃのそれぞれのシャッタ３６，３６を開作動させ、シャッタ３６，３６にそれ自身またはそれに載置されている紙幣の上部を近接させて待機している収納繰出部３８ａ〜３８ｃの閉状態のフラッパ４６，４６に紙幣を受け渡す。続いて、制御部は、フラッパ４６，４６をその上に載置された紙幣がシャッタ３６，３６に干渉しない位置まで下降させて、シャッタ３６，３６を閉作動させる。さらに、フラッパ４６，４６を既に収納空間４９に収納されている紙幣量に干渉しない範囲で下げて開作動させ、フラッパ４６，４６からすでに収納空間４９に収納されている紙幣の上に紙幣を受け渡す。その後、フラッパ４６，４６を上部待機位置まで上昇させて、閉作動させる。
【０１５１】
「一時貯留部５１ｄ，５１ｅの満杯時の処理」
なお、一時貯留・収納繰出部５３ｄ，５３ｅにおいては、上記「収納処理」では特に、一時貯留部５１ｄ，５１ｅに一時貯留させた紙幣を収納繰出部５２ｄ，５２ｅの収納空間６１に収納させることは行わず、一時貯留部５１ｄ，５１ｅが満杯になった場合にのみ自動的に一時貯留部５１ｄ，５１ｅに一時貯留させた紙幣を収納繰出部５２ｄ，５２ｅの収納空間６１に収納させることになる。勿論、上記「収納処理」で、一時貯留部５１ｄ，５１ｅに一時貯留させた紙幣を収納繰出部５２ｄ，５２ｅの収納空間６１に収納させるようにしてもよい。
【０１５２】
一時貯留部５１ｄ，５１ｅが満杯になった場合に、制御部は、一時貯留・収納繰出部５３ｄ，５３ｅについて、待機状態にあった共用の昇降部７９を昇降機構部７０によって上限位置から連結解除位置まで下降させる。すると、一時貯留・収納繰出部５３ｄ，５３ｅのいずれにおいても、プッシャ５７が昇降部７９に連結されてこれと一体的に下降し、上部フラッパ５６Ａに載置され一時貯留されている紙幣を上側から押圧し、上部フラッパ５６Ａおよび下部フラッパ５６Ｂを紙幣を介して押圧して下方に開作動させつつ下部フラッパ５６Ｂを越える位置まで下降することになる。
【０１５３】
すると、プッシャ５７による押圧で下部フラッパ５６Ｂを越えた新たな収納紙幣が下部フラッパ５６Ｂと紙幣載置台５８あるいは紙幣載置台５８に既に載置されていた収納紙幣との間に押し込まれるとともに、この押し込みに応じて紙幣載置台５８が引張バネ１２２の付勢力に抗して下降させられる。その結果、プッシャ５７と紙幣載置台５８とで新たな収納紙幣を既に載置されていた収納紙幣と整列状態で一緒にして挟持する。
【０１５４】
ここで、一時貯留・収納繰出部５３ｄ，５３ｅのいずれにおいても、プッシャ５７が下部フラッパ５６Ｂを完全に越える連結解除位置まで昇降部７９を下降させて停止させると、停止直前に下部フラッパ５６Ｂおよび上部フラッパ５６Ａは水平状態に戻ることになり、その一方で、停止位置では、プッシャ５７の昇降部７９に対する連結が解除される。すると、プッシャ５７と紙幣と紙幣載置台５８とが一体的に引張バネ１２２の付勢力で上昇するものの、水平状態とされている下部フラッパ５６Ｂをプッシャ５７が越えることはない。
【０１５５】
次に、一時貯留・収納繰出部５３ｄ，５３ｅのいずれにおいても、この連結解除位置から昇降部７９を再び上限位置に向け上昇させる。すると、プッシャ５７は、下部フラッパ５６Ｂより下側にある状態で昇降部７９に連結され、水平状態が維持される下部フラッパ５６Ｂに押圧されてネジリバネ１２１の付勢力に抗して前側板１１５および後側板１１６を揺動軸１０４を中心に折り畳むように揺動させて、下部フラッパ５６Ｂを通過する。このときに、プッシャ５７は、収納紙幣の上部の押さえを下部フラッパ５６Ｂに渡すことになり、その結果、収納紙幣が下部フラッパ５６Ｂと紙幣載置台５８との間に引張バネ１２２の付勢力で挟持される。上昇するプッシャ５７は、次に、上部フラッパ５６Ａに押圧されてネジリバネ１２１の付勢力に抗して前側板１１５および後側板１１６を揺動軸１０４を中心に折り畳むようにさらに揺動させて、上部フラッパ５６Ａを通過し、その後、ネジリバネ１２１の付勢力で前側板１１５および後側板１１６が平面状に戻された状態で、案内位置に戻り待機状態となる。
【０１５６】
「整理計数処理」
複数金種混在した紙幣から指定した金種を計数しつつ分離する場合等の処理で、オペレータにより紙幣が紙幣入金口２１にセットされ操作部１４に「整理計数処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図２５に太線で示す整理計数処理ルートで搬送させ、その途中の識別部２９の識別結果に基づいて振り分ける。
【０１５７】
すなわち、偽券を含む識別不能紙幣および重送、斜行等の搬送異常紙幣と、真かつ汚損と識別された紙幣と、真かつ正で指定されていない金種の紙幣と、真かつ正で指定された金種であって一時貯留部３３ａ〜３３ｃの対応するものに貯留しきれない分の紙幣とが紙幣出金口２０に送り出され、真かつ正の紙幣のうち、指定された金種のものが、適宜表裏反転部３０を通過することで表裏が取り揃えられた後、金種別に、一時貯留部３３ａ〜３３ｃの対応するものに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【０１５８】
具体的には、例えば、千券、二千券および五千券を整理計数する場合には、真かつ正と識別された紙幣のうち、指定されていない万券は、紙幣出金口２０に送り出され、二千券は一時貯留・収納繰出部４０ａの一時貯留部３３ａに貯留され、千券は一時貯留・収納繰出部４０ｂの一時貯留部３３ｂに貯留され、五千券は一時貯留・収納繰出部４０ｃの一時貯留部３３ｃに一時貯留される。
【０１５９】
そして、紙幣入金口２１からすべての紙幣が一旦繰り出され、紙幣出金口２０および一時貯留部３３ａ〜３３ｃのいずれかに送り込まれると、制御部は、閉状態にあった紙幣出金口２０のシャッタ２２を開作動させるとともに、整理計数処理が完了した旨を識別部２９の識別結果とともに図示せぬ上位機に表示させる。この表示からオペレータが整理計数完了確認操作を上位機または操作部１４に入力すると、制御部は、後述の「返却処理」を行うことになる。
【０１６０】
「返却処理」
上記入金処理の結果の上位機の表示に基づいてオペレータが入金キャンセル操作を上位機または操作部１４に入力した場合、および、上記「整理計数処理」が完了した旨の上位機の表示からオペレータが整理計数完了確認操作を上位機または操作部１４に入力した場合、制御部は、中層ユニット２５の機体１０からの引き出しを可能とする。これにより、オペレータは、図２６に示すよう中層ユニット２５を引き出して一時貯留部３３ａ〜３３ｃから紙幣を取り出すことになる。
【０１６１】
「精査処理」
（１）一時貯留・収納繰出部４０ｂの収納繰出部３８ｂの精査処理
収納繰出部３８ｂにおける収納空間４９の紙幣枚数、具体的には収納空間４９の万券の枚数を確定する精査処理を行う場合は、オペレータにより上位機または操作部１４に収納繰出部３８ｂを精査処理する際の入力がなされると、一時貯留部３３ｂおよび収納繰出部３８ｂのフラッパ４６，４６より上側が空の状態で、制御部は、収納繰出部３８ｂのフラッパ４６，４６よりも下側の収納空間４９に収納させていた紙幣を紙幣繰出部３９によって最下のものから一枚ずつ分離して繰り出させ、搬送路４２，２８の所定部分で構成される図２７に太線で示す第１精査処理ルートに沿って搬送させ、その途中の判別部４３の判別結果に基づいて振り分けおよび計数を行う。
【０１６２】
すなわち、判別部４３で異常と判別された紙幣のうち重送あるいは斜行と判定された搬送異常紙幣はリジェクト収納部４４に送り込まれ、判別部４３で異常と判別された紙幣のうち搬送異常以外の紙幣および精査対象金以外と判定された正常な異金種紙幣は、一時貯留・収納繰出部４０ａの一時貯留部３３ａに送り込まれ、判別部４３で正常と判別された精査対象紙幣は、一時貯留・収納繰出部４０ｂの一時貯留部３３ｂに送り込まれる。
【０１６３】
このようにして、順次、収納繰出部３８ｂに収納されている紙幣が、判別部４３で判別計数され、一時貯留部３３ｂに送り込まれ、一時貯留部３３ｂが満杯となると、制御部は、一旦、収納繰出部３８ｂの収納空間４９からの紙幣の繰り出しを停止し、一時貯留部３３ｂのシャッタ３６，３６を開作動させ、シャッタ３６，３６にそれ自身またはそれに載置された紙幣の上部を近接させていた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ｂを空にする。ただし、この時点では、収納繰出部３８ｂの収納空間４９に収納されている紙幣とは分離しておく必要があるため、フラッパ４６，４６上の紙幣を下方の収納空間４９に落とし込むことはない。
【０１６４】
そして、一時貯留部３３ｂのフラッパ４６，４６へ紙幣を受け渡しシャッタ３６，３６の閉作動が完了すると、制御部は、再び収納繰出部３８ｂの収納空間４９から紙幣繰出部３９により紙幣を繰り出させ、上記と同様にして、判別部４３による判別計数を行う。
【０１６５】
以上を繰り返して、収納繰出部３８ｂの収納空間４９のすべての収納紙幣が繰り出され、リジェクト収納部４４、一時貯留・収納繰出部４０ｂのフラッパ４６，４６より上側および一時貯留部３３ａのいずれかに送り込まれて、収納繰出部３８ｂの収納空間４９が空になると、制御部は、一時貯留部３３ａ，３３ｂのシャッタ３６，３６を開作動させ、紙幣をフラッパ４６，４６上に受け渡し、続いて、フラッパ４６，４６をその上に載置された紙幣がシャッタ３６，３６に干渉しない位置まで下降させて、シャッタ３６，３６を閉作動させる。さらに、一時貯留・収納繰出部４０ｂについては、フラッパ４６，４６を最下位置まで下降させて開作動させて、空の状態の収納空間４９に紙幣を受け渡し、その後、フラッパ４６，４６をシャッタ３６，３６に近接する上部待機位置まで上昇させて、閉作動させる。一時貯留・収納繰出部４０ａについては、フラッパ４６，４６を既に収納空間４９に収納されている紙幣量に応じた高さまで下げて開作動させて、フラッパ４６，４６からすでに収納空間４９に収納されている紙幣の上に紙幣を受け渡し、その後、フラッパ４６，４６をシャッタ３６，３６に近接する上部待機位置まで上昇させて、閉作動させる。
【０１６６】
このようにすることで、一時貯留・収納繰出部４０ｂの収納繰出部３８ｂの収納空間４９の紙幣は、すべて精査対象金種の正常紙幣となりその枚数が確定できる。
【０１６７】
以上により、一時貯留・収納繰出部４０ｂは、精査処理時にその収納繰出部３８ｂの収納空間４９から一旦すべての紙幣を繰り出してこの収納空間４９を空にする際に、繰り出し紙幣のうち正常紙幣を、当該一時貯留・収納繰出部４０ｂ自身の一時貯留部３３ｂに送り込む還流精査型一時貯留・収納繰出部となっている。そして、このような還流精査型一時貯留・収納繰出部である一時貯留・収納繰出部４０ｂは、その収納空間４９から一旦すべての紙幣を繰り出す際に当該一時貯留・収納繰出部４０ｂ自身の一時貯留部３３ｂに送り込んだ紙幣を、収納空間４９から一旦すべての紙幣を繰り出した後に、当該収納空間４９に収納することになる。
【０１６８】
以上により、精査処理時に、一時貯留・収納繰出部４０ｂから繰り出された紙幣のうち、判別部４３で搬送異常と判別された紙幣を、紙幣を繰り出し不可に収納させるリジェクト収納部４４に収納する一方、判別部４３で判別不能と判別された紙幣を、すべて複数金種に共用の一時貯留・収納繰出部４０ａに収納することになる。そして、この複数金種に共用の一時貯留・収納繰出部４０ａにおいては、「内部充填分配補充処理」で、収納した紙幣を判別部４３で判別しかつ識別部２９で識別しつつ一時貯留・収納繰出部４０ｂ，４０ｃ，５３ｄ，５３ｅのうちの対応金種のものに分配収納させ、その後の「出金処理」において、各金種の一時貯留・収納繰出部４０ｂ，４０ｃ，５３ｄ，５３ｅから出金させることになるため、判別不能紙幣がいずれの金種の紙幣であってもこの分配収納により一時貯留・収納繰出部４０ｂ，４０ｃ，５３ｄ，５３ｅのうち適正な金種のものに収納されて、ここから出金させられることになる。
【０１６９】
（２）一時貯留・収納繰出部４０ｃの収納繰出部３８ｃの精査処理
収納繰出部３８ｃにおける収納空間４９の紙幣枚数、具体的には収納空間４９の千券の枚数を確定する精査処理を行う場合は、上記収納繰出部３８ｂの精査処理に対し、一時貯留部３３ｂおよび収納繰出部３８ｂを一時貯留部３３ｃおよび収納繰出部３８ｃに置き換えたものとなる。すなわち、収納繰出部３８ｃの収納空間４９の紙幣を搬送路４２，２８の所定部分で構成される図２８に太線で示す第２精査処理ルートに沿って搬送させ、収納繰出部３８ｃの収納空間４９を一旦空にした後、枚数の確定した紙幣を収納繰出部３８ｃの収納空間４９に収納させるのである。
【０１７０】
この、一時貯留・収納繰出部４０ｃも、一時貯留・収納繰出部４０ｂと同様に、還流精査型一時貯留・収納繰出部となっている。
【０１７１】
（３）一時貯留・収納繰出部５３ｄの精査処理
一時貯留・収納繰出部５３ｄの紙幣枚数、具体的には二千券の枚数を確定する精査処理を行う場合は、オペレータにより上位機または操作部１４に収納繰出部５２ｄを精査処理する際の入力がなされると、制御部は、「出金処理」と同様、待機状態にあった昇降部７９を昇降機構部７０によって上限位置から下限位置に下降させて、プッシャ５７が自重のみで紙幣上に載置される状態にするとともに紙幣載置台５８を繰出位置まで下降させる。そして、紙幣を繰り出させる収納繰出部５２ｄについてのみ紙幣繰出部５４の蹴出ローラ１３３および分離ローラ１３４，１３５を駆動して紙幣を搬送路に繰り出させることになる。一方、収納繰出部５２ｄのすべての紙幣の繰り出しが終了すると、「出金処理」と同様に、昇降機構部７０により昇降部７９を下限位置から上限位置に上昇させる。
【０１７２】
上記のようにして収納繰出部５２ｄから繰り出された紙幣を搬送路４２，２８の所定部分で構成される図２９に太線で示す第３精査処理ルートに沿って搬送させ、その途中の判別部４３の判別結果に基づいて振り分けを行う。
【０１７３】
すなわち、判別部４３で重送または斜行と判定された搬送異常紙幣はリジェクト収納部４４に送り込まれ、判別部４３で正常と判別された正常紙幣は、必要により表裏反転部３０で表裏が取り揃えられて、一時貯留・収納繰出部４０ａの一時貯留部３３ａに送り込まれる。さらに、判別部４３で判別不能と判別された紙幣も、一時貯留・収納繰出部４０ａの一時貯留部３３ａに送り込まれる。
【０１７４】
このようにして、順次、一時貯留・収納繰出部５３ｄに収納されている紙幣が、一時貯留部３３ａに送り込まれ、一時貯留部３３ａが満杯となると、制御部は、一旦、一時貯留・収納繰出部５２ｄからの紙幣の繰り出しを停止し、一時貯留部３３ａのシャッタ３６，３６を開作動させ、シャッタ３６，３６にそれ自身またはそれに載置された紙幣の最上部を近接させた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にする。
【０１７５】
そして、一時貯留部３３ａのフラッパ４６，４６へ紙幣を受け渡しシャッタ３６，３６の閉作動が完了すると、制御部は、再び一時貯留・収納繰出部５３ｄから紙幣繰出部５４により紙幣を繰り出させ、上記と同様にして、判別部４３による判別を行いつつ、一時貯留部３３ａに送り込む。
【０１７６】
以上を繰り返して、一時貯留・収納繰出部５３ｄのすべての紙幣が繰り出されて、リジェクト収納部４４、一時貯留・収納繰出部４０ａの一時貯留部３３ａのいずれかに送り込まれ、一時貯留・収納繰出部５３ｄが空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【０１７７】
その後、上記した「内部充填分配補充処理」を実行することで、一時貯留・収納繰出部４０ａの収納繰出部３８ａに収納された紙幣を繰り出し、識別部２９で識別計数しつつ、その中から収納繰出部５２ｄに収納させる紙幣すなわち二千券のみを、一時貯留・収納繰出部５３ｄに送り込むことで、精査対象金種の紙幣が確定した枚数で一時貯留・収納繰出部５３ｄに収納されることになる。
【０１７８】
以上により、一時貯留・収納繰出部５３ｄは、精査処理時において、一旦すべての紙幣を繰り出して内部を空にする際に、繰り出した紙幣のうち、主たる紙幣である正常紙幣を、当該一時貯留・収納繰出部５３ｄ以外の被使用一時貯留・収納繰出部４０ａの一時貯留部３３ａに送り込む他使用精査型一時貯留・収納繰出部となっている。そして、このような他使用精査型一時貯留・収納繰出部である一時貯留・収納繰出部５３ｄは、その内部から一旦すべての紙幣を繰り出した後、内部に被使用一時貯留・収納繰出部である一時貯留・収納繰出部４０ａから送り込まれた紙幣を収納するようになっている。
【０１７９】
（４）一時貯留・収納繰出部５３ｅの精査処理
一時貯留・収納繰出部５３ｅにおける紙幣枚数、具体的には五千券の枚数を確定する精査処理を行う場合は、上記収納繰出部５３ｄの精査処理に対し、一時貯留部５１ｄ、収納繰出部５２ｄおよび一時貯留・収納繰出部５３ｄを一時貯留部５１ｅ、収納繰出部５２ｅおよび一時貯留・収納繰出部５３ｅに置き換えたものとなる。すなわち、紙幣を搬送路４２，２８の所定部分で構成される図３０に太線で示す第４精査処理ルートに沿って搬送させ、一時貯留・収納繰出部５３ｅを一旦空にした後、「内部充填分配補充処理」によって枚数の確定した紙幣を一時貯留・収納繰出部５３ｅに収納させるのである。
【０１８０】
（５）一時貯留・収納繰出部４０ａの収納繰出部３８ａの精査処理
収納繰出部３８ａの収納空間４９の精査処理は、「入金処理」を経て収納した紙幣についての上記した「内部充填分配補充処理」と同じであり（図２２参照）、一旦、収納繰出部３８ａの収納空間４９を空にするとともに、一時貯留・収納繰出部４０ａ〜４０ｃ，５３ｄ，５３ｅのフラッパ４６，５６Ａより上側に金種および枚数の確定した紙幣を集積させ、その後、上記した「収納処理」を行うことで、金種および枚数の確定した紙幣を一時貯留・収納繰出部４０ａ〜４０ｃの収納繰出部３８ａ〜３８ｃの収納空間４９に収納するとともに、一時貯留・収納繰出部５３ｄ，５３ｅに収納する。
【０１８１】
「回収処理」
一時貯留・収納繰出部４０ａ〜４０ｃ，５３ｄ，５３ｅに収納されている紙幣を回収する場合、オペレータにより上位機または操作部１４に回収処理を行う際の入力がなされると、制御部は、一時貯留部３３ｂ，３３ｃおよび収納繰出部３８ｂ，３８ｃのフラッパ４６，４６より上側が空の状態で、収納繰出部３８ｂ，３８ｃの収納空間４９に収納させていた紙幣を紙幣繰出部３９によって最下のものから一枚ずつ分離して繰り出させるとともに、一時貯留・収納繰出部５３ｄ，５３ｅに収納させていた紙幣を紙幣繰出部５４によって最下のものから一枚ずつ分離して繰り出させる。なお、収納繰出部３８ｂ，３８ｃ，５２ｄ，５２ｅからの紙幣の繰り出しは、上記「出金処理」における収納繰出部３８ｂ，３８ｃ，５２ｄ，５２ｅからの紙幣の繰り出しと同様である。そして、これらの紙幣を、搬送路４２，２８の所定部分で構成される図３１に太線で示す回収処理ルートに沿って搬送させ、その途中の判別部４３の判別結果に基づいて振り分けを行う。
【０１８２】
すなわち、判別部４３で重送または斜行と判定された搬送異常紙幣および、判別不能と判別された紙幣は、リジェクト収納部４４に送り込まれ、判別部４３で正常と判別された紙幣は、一時貯留・収納繰出部４０ａの一時貯留部３３ａにすべて送り込まれる。
【０１８３】
このようにして、紙幣が、一時貯留部３３ａに送り込まれ、一時貯留部３３ａが満杯となると、制御部は、一旦、収納繰出部３８ｂ，３８ｃ，５２ｄ，５２ｅからの紙幣の繰り出しを停止し、一時貯留部３３ａのシャッタ３６，３６を開作動させ、それ自身またはそれに載置された紙幣をシャッタ３６，３６に近接させて閉状態で待機している収納繰出部３８ａのフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ａを空にする。
【０１８４】
そして、一時貯留部３３ａのフラッパ４６，４６へ紙幣を受け渡しシャッタ３６，３６の閉作動が完了すると、制御部は、再び収納繰出部３８ｂ，３８ｃ，５２ｄ，５２ｅの収納空間４９，６１から紙幣繰出部３９，５４により紙幣を繰り出させ、上記と同様にして、一時貯留部３３ａに送り込む。
【０１８５】
以上を繰り返して、収納繰出部３８ｂ，３８ｃ，５２ｄ，５２ｅの収納空間４９，６１からすべての収納紙幣が繰り出されて、リジェクト収納部４４および一時貯留部３３ａのいずれかに送り込まれ、収納繰出部３８ｂ，３８ｃ，５２ｄ，５２ｅの収納空間４９，６１が空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【０１８６】
以上のようにして、収納繰出部３８ｂ，３８ｃ，５２ｄ，５２ｅの収納空間４９，６１の紙幣をすべて収納繰出部３８ａに収納し、下層ユニット２６を機体１０から引き出して、収納繰出部３８ａを機体１０から取り出して紙幣を回収する。
【０１８７】
なお、収納繰出部３８ｂ，３８ｃ，５２ｄ，５２ｅの収納空間４９，６１の紙幣をすべて収納繰出部３８ａに収納する前に収納繰出部３８ａが満杯になることもあるため、そのときは、満杯になった時点で処理を中断し、紙幣が取り出されて空となった収納繰出部３８ａが再装填されると、処理を再開する。なお、収納繰出部３８ｂ，３８ｃの少なくとも一方をも下層ユニット２６に対し着脱可能とすることで、収納繰出部３８ａで収納しきれない場合に、着脱可能な収納繰出部３８ｂ，３８ｃに収納して回収するようにしてもよい。
【０１８８】
以上に述べたように、本実施形態の貨幣入出金機によれば、一時貯留部５１ｄ，５１ｅに投入された紙幣を上部フラッパ５６Ａ上に一時貯留させた後、この一時貯留部５１ｄ，５１ｅに一時貯留された紙幣をプッシャ５７で上側から押圧し上部フラッパ５６Ａおよび下部フラッパ５６Ｂを越えるように下方の収納繰出部５２ｄ，５２ｅに押し込むものであるため、上部フラッパ５６Ａおよび下部フラッパ５６Ｂをスライドさせる必要はなく、上部フラッパ５６Ａおよび下部フラッパ５６Ｂのスライドを許容するためのスペースを一時貯留・収納繰出部５３ｄ，５３ｅの両外側に設ける必要がなくなる。しかも、プッシャ５７が、一時貯留部５１ｄ，５１ｅに側方から紙幣が投入される際に一時貯留部５１ｄ，５１ｅの上部の案内位置に位置して、投入される紙幣を案内するガイドを構成するとともに、紙幣繰出部５４で収納繰出部５２ｄ，５２ｅの紙幣を繰り出す際に、収納繰出部５２ｄ，５２ｅの紙幣を上側から押圧するビルプレスを構成する。よって、専用のビルプレス部材が不要となるため、ビルプレス部材を非使用時に収納繰出部５２ｄ，５２ｅから退避させておくためのスペースを一時貯留・収納繰出部５３ｄ，５３ｅの外側に設ける必要もなくなる。したがって、一時貯留・収納繰出部５３ｄ，５３ｅを小型化することができる。
【０１８９】
また、プッシャ５７がガイドおよびビルプレスを兼用するため、専用のガイドおよびビルプレス部材が不要であり部品点数を低減できる。したがって、部品点数を減らし構造を簡素化してコストを低減することができる。
【０１９０】
また、プッシャ５７は、一時貯留部５１ｄ，５１ｅに一時貯留された紙幣を上側から押圧し上部フラッパ５６Ａおよび下部フラッパ５６Ｂを越えて収納繰出部５２ｄ，５２ｅに押し込む際に紙幣と接触するプッシャ本体１０５が水平面に対し傾斜可能とされているため、一時貯留部５１ｄ，５１ｅの紙幣の状態に対応してプッシャ本体１０５が傾斜して良好に紙幣を収納繰出部５２ｄ，５２ｅに押し込むことができる。しかも、プッシャ５７が案内位置に位置して投入される紙幣を案内する際に、プッシャ本体１０５を位置固定の当接部材１３７に当接させて側方から投入される紙幣を案内可能な傾斜状態にするため、当接部材１３７を設けるのみで良好にプッシャ本体１０５を傾斜状態にすることができる。
【０１９１】
さらに、収納繰出部５２ｄ，５２ｅの紙幣載置台５８も昇降機構部７０により昇降させられるため、紙幣載置台専用の昇降機構部が不要となる。したがって、さらに部品点数を減らし構造を簡素化してコストを一層低減することができる。
【０１９２】
加えて、紙幣繰出部５４によって紙幣を繰り出させる際に、紙幣載置台５８が少なくとも紙幣繰出側の先端部が位置固定の繰出ベース１３２よりも下側に位置することにより、紙幣の少なくとも繰出側の先端部を繰出ベース１３２上に載置させるため、紙幣繰出部５４は、紙幣を位置固定の繰出ベース１３２で案内して繰り出すことができる。したがって、紙幣繰出部５４によって紙幣を安定的に繰り出すことができる。
【０１９３】
また、連結機構部８７が、プッシャ５７を案内位置に位置させる際には該プッシャ５７を少なくとも下方から支持するとともに、該案内位置よりも下側でプッシャ５７により一時貯留部５１ｄ，５１ｅに一時貯留された紙幣を上側から押圧し上部フラッパ５６Ａおよび下部フラッパ５６Ｂを越えて収納繰出部５２ｄ，５２ｅに押し込む際にはプッシャ５７を昇降部７９に一体的に連結させ、さらに一時貯留部５１ｄ，５１ｅから紙幣を収納繰出部５２ｄ，５２ｅに押し込んだ位置よりも下側でプッシャ５７により収納繰出部５２ｄ，５２ｅの紙幣を上側から押圧させる際には、該プッシャ５７が自重のみで紙幣を押圧可能となるように該プッシャ５７と昇降部７９との連結を解除するため、昇降部７９の昇降制御と連結機構部８７の連結状態の切り換えのみで、プッシャ５７をガイド、プッシャおよびビルプレスとして作動させることができる。したがって、簡素な構成でプッシャ５７をガイド、プッシャおよびビルプレスとして作動させることができる。
【０１９４】
さらに、連結機構部８７が、プッシャ５７を収納繰出部５２ｄ，５２ｅから下部フラッパ５６Ｂおよび上部フラッパ５６Ａを越えて一時貯留部５１ｄ，５１ｅに上昇させる際に、プッシャ５７を一体的に昇降部７９に連結させるため、新たな連結のための動作を必要とすることなく自動的にプッシャ５７と昇降部７９とを連結させることができ、また、上昇途中もしくは上昇直後においてもすぐさま再び収納繰出部５２ｄ，５２ｅへの下降を行わせることができる。
【０１９５】
加えて、紙幣載置台５８を引張バネ１２２により常時上方向に付勢し、これを必要に応じて昇降機構部７０の昇降部７９が押し下げるように構成されているため、紙幣載置台専用の昇降機構部が不要となる。したがって、さらに部品点数を減らし構造を簡素化してコストを一層低減することができる。
【０１９６】
しかも、紙幣載置台５８は、一時貯留部５１ｄ，５１ｅに紙幣を受け入れるため昇降部７９がプッシャ５７を少なくとも案内位置に位置させた状態では、昇降部７９による押圧が解除されて引張バネ１２２の付勢力により紙幣を下部フラッパ５６Ｂとの間で挟持する。したがって、収納繰出部５２ｄ，５２ｅの紙幣を安定的に保持しておくことができる。
【０１９７】
また、上下に複数組設けられた一時貯留・収納繰出部５３ｄ，５３ｅについて昇降機構部７０を共用化するため、昇降機構部７０を別々に設ける場合に比して、さらに部品点数を減らし構造を簡素化してコストを一層低減することができる。
【０１９８】
加えて、上下に複数組設けた一時貯留・収納繰出部５３ｄ，５３ｅは、収納量が少なくて済む五千券用と二千券用であるため、上下に設けても全体を大型化してしまうことがない。
【０１９９】
なお、以上の実施形態においては、一時貯留・収納繰出部４０ｂ，４０ｃ，５３ｄ，５３ｅから繰り出された紙幣のうち、判別部４３で判別不能と判別された紙幣を、すべて複数金種に共用の一時貯留・収納繰出部４０ａに収納する場合を例にとり説明したが、一時貯留・収納繰出部４０ｂ，４０ｃ，５３ｄ，５３ｅから繰り出された紙幣のうち、判別部４３で判別不能と判別された紙幣を、識別部２９で金種を識別し、一時貯留・収納繰出部４０ｂ，４０ｃ，５３ｄ，５３ｅのうちこの識別結果に応じた対応金種のものに収納するようにしてもよい。このように構成すれば、搬送異常以外の何らかの理由で判別部４３による判別ができなかった判別不能紙幣については、識別部２９で再度識別して一時貯留・収納繰出部４０ｂ，４０ｃ，５３ｄ，５３ｅのうち適正な金種のものに収納することができる。
【０２００】
【発明の効果】
以上詳述したように、本発明の請求項１記載の紙幣入出金機によれば、一時貯留部に投入された紙幣を仕切部材上に一時貯留させた後、この一時貯留部に一時貯留された紙幣をプッシャで上側から押圧し仕切部材を越えるように下方の収納部に押し込むものであるため、仕切部材をスライドさせる必要はなく、仕切部材のスライドを許容するためのスペースを一時貯留・収納繰出部の両外側に設ける必要がなくなる。しかも、プッシャが、一時貯留部に側方から紙幣が投入される際に一時貯留部の上部の案内位置に位置して、投入される紙幣を案内するガイドを構成するとともに、紙幣繰出部で収納部の紙幣を繰り出す際に、収納部の紙幣を上側から押圧するビルプレスを構成する。よって、専用のビルプレス部材が不要となるため、ビルプレス部材を非使用時に収納部から退避させておくためのスペースを一時貯留・収納繰出部の外側に設ける必要もなくなる。したがって、一時貯留・収納繰出部を小型化することができる。
【０２０１】
また、プッシャがガイドおよびビルプレスを兼用するため、専用のガイドおよびビルプレス部材が不要であり部品点数を低減できる。したがって、部品点数を減らし構造を簡素化してコストを低減することができる。
連結機構部が、プッシャを案内位置に位置させる際には該プッシャを少なくとも下方から支持するとともに、該案内位置よりも下側でプッシャにより一時貯留部に一時貯留された紙幣を上側から押圧し仕切部材を越えて収納部に押し込む際にはプッシャを昇降部に一体的に連結させ、さらに一時貯留部から紙幣を収納部に押し込んだ位置よりも下側でプッシャにより収納部の紙幣を上側から押圧させる際には、該プッシャが自重のみで紙幣を押圧可能となるように該プッシャと昇降部との連結を解除するため、昇降部の昇降制御と連結機構部の連結状態の切り換えのみで、プッシャをガイド、プッシャおよびビルプレスとして作動させることができる。したがって、簡素な構成でプッシャをガイド、プッシャおよびビルプレスとして作動させることができる。
【０２０２】
本発明の請求項２記載の紙幣入出金機によれば、プッシャは、一時貯留部に一時貯留された紙幣を上側から押圧し仕切部材を越えて収納部に押し込む際に紙幣と接触するプッシャ本体が水平面に対し傾斜可能とされているため、一時貯留部の紙幣の状態に対応してプッシャ本体が傾斜して良好に紙幣を収納部に押し込むことができる。しかも、プッシャが案内位置に位置して投入される紙幣を案内する際に、プッシャ本体を位置固定の当接部材に当接させて側方から投入される紙幣を案内可能な傾斜状態にするため、当接部材を設けるのみで良好にプッシャ本体を傾斜状態にすることができる。
【０２０３】
本発明の請求項３記載の紙幣入出金機によれば、収納部の紙幣載置台も昇降機構部により昇降させられるため、紙幣載置台専用の昇降機構部が不要となる。したがって、さらに部品点数を減らし構造を簡素化してコストを一層低減することができる。
【０２０４】
本発明の請求項４記載の紙幣入出金機によれば、紙幣繰出部によって紙幣を繰り出させる際に、紙幣載置台が少なくとも紙幣繰出側の先端部が位置固定の繰出ベースよりも下側に位置することにより、紙幣の少なくとも繰出側の先端部を繰出ベース上に載置させるため、紙幣繰出部は、紙幣を位置固定の繰出ベースで案内して繰り出すことができる。したがって、紙幣繰出部によって紙幣を安定的に繰り出すことができる。
【０２０６】
本発明の請求項５記載の紙幣入出金機によれば、連結機構部が、プッシャを収納部から仕切部材を越えて一時貯留部に上昇させる際に、プッシャを一体的に昇降部に連結させるため、新たな連結のための動作を必要とすることなく自動的にプッシャと昇降部とを連結させることができ、また、上昇途中もしくは上昇直後においてもすぐさま再び収納部への下降を行わせることができる。
【０２０７】
本発明の請求項６記載の紙幣入出金機によれば、紙幣載置台を付勢手段により常時上方向に付勢し、これを必要に応じて昇降機構部の昇降部が押し下げるように構成されているため、紙幣載置台専用の昇降機構部が不要となる。したがって、さらに部品点数を減らし構造を簡素化してコストを一層低減することができる。
【０２０８】
しかも、紙幣載置台は、一時貯留部に紙幣を受け入れるため昇降部がプッシャを少なくとも案内位置に位置させた状態では、昇降部による押圧が解除されて付勢手段の付勢力により紙幣を前記仕切部材との間で挟持する。したがって、収納部の紙幣を安定的に保持しておくことができる。
【０２０９】
本発明の請求項７記載の紙幣入出金機によれば、上下に複数組設けられた一時貯留・収納繰出部について昇降機構部を共用化するため、昇降機構部を別々に設ける場合に比して、さらに部品点数を減らし構造を簡素化してコストを一層低減することができる。
【０２１０】
本発明の請求項８記載の紙幣入出金機によれば、上下に複数組設けた一時貯留・収納繰出部は、収納量が少なくて済む五千券用と二千券用であるため、上下に設けても全体を大型化してしまうことがない。
【図面の簡単な説明】
【図１】  本発明の紙幣入出金機の一実施形態としての貨幣入出金機を示す斜視図である。
【図２】  同貨幣入出金機の紙幣入出金部の概略構成を示す側断面図である。
【図３】  同貨幣入出金機の紙幣入出金部の後部ユニットを示す側断面図であってプッシャが案内位置にある状態を示すものである。
【図４】  同貨幣入出金機の紙幣入出金部の後部ユニットの上部フラッパおよび下部フラッパ等を示す平面図である。
【図５】  同貨幣入出金機の紙幣入出金部の後部ユニットを示す正断面図であってプッシャが案内位置にある状態を示すものである。
【図６】  同貨幣入出金機の紙幣入出金部の後部ユニットの昇降部を示す正面図である。
【図７】  同貨幣入出金機の紙幣入出金部の後部ユニットのプッシャ等を示す平面図である。
【図８】  同貨幣入出金機の紙幣入出金部の後部ユニットを示す側断面図であって昇降部が下部昇降範囲の上部位置にある状態を示すものである。
【図９】  同貨幣入出金機の紙幣入出金部の後部ユニットを示す正断面図であって昇降部が連結解除位置にある状態を示すものである。
【図１０】  同貨幣入出金機の紙幣入出金部の後部ユニットを示す側断面図であって昇降部が下限位置にある状態を示すものである。
【図１１】  同貨幣入出金機の紙幣入出金部の後部ユニットを示す正断面図であって昇降部が下限位置にある状態を示すものである。
【図１２】  同貨幣入出金機の紙幣入出金部の後部ユニットを示す側断面図であってプッシャが上昇中に上部フラッパを越える状態を示すものである。
【図１３】  同貨幣入出金機の紙幣入出金部の後部ユニットを示す側面図であってスライド体を閉じた状態を示すものである。
【図１４】  同貨幣入出金機の紙幣入出金部の後部ユニットの側部を示す正面図である。
【図１５】  同貨幣入出金機の紙幣入出金部の後部ユニットの側部を示す平面図である。
【図１６】  同貨幣入出金機の紙幣入出金部の後部ユニットを示す側面図であってスライド体を開いた状態を示すものである。
【図１７】  同貨幣入出金機の紙幣入出金部の後部ユニットの一部の上部フラッパを示すもので、（ａ）は正面図、（ｂ）は平面図、（ｃ）は側面図である。
【図１８】  同貨幣入出金機の紙幣入出金部の後部ユニットのスライド体に設けられる小扉等を示すもので、（ａ）は正面図、（ｂ）は平面図、（ｃ）は側面図である。
【図１９】  同貨幣入出金機の紙幣入出金部の入金処理ルートを示す側断面図である。
【図２０】  同貨幣入出金機の紙幣入出金部の出金処理ルートを示す側断面図である。
【図２１】  同貨幣入出金機の紙幣入出金部の入金口分配補充処理ルートを示す側断面図である。
【図２２】  同貨幣入出金機の紙幣入出金部の内部充填分配補充処理ルートを示す側断面図である。
【図２３】  同貨幣入出金機の紙幣入出金部の外部充填分配補充処理ルートを示す側断面図である。
【図２４】  同貨幣入出金機の紙幣入出金部の収納処理ルートを示す側断面図である。
【図２５】  同貨幣入出金機の紙幣入出金部の整理計数処理ルートを示す側断面図である。
【図２６】  同貨幣入出金機の紙幣入出金部の返却処理時における中層ユニットを引き出した状態を示す側断面図である。
【図２７】  同貨幣入出金機の紙幣入出金部の第１精査処理ルートを示す側断面図である。
【図２８】  同貨幣入出金機の紙幣入出金部の第２精査処理ルートを示す側断面図である。
【図２９】  同貨幣入出金機の紙幣入出金部の第３精査処理ルートを示す側断面図である。
【図３０】  同貨幣入出金機の紙幣入出金部の第４精査処理ルートを示す側断面図である。
【図３１】  同貨幣入出金機の紙幣入出金部の回収処理ルートを示す側断面図である。
【符号の説明】
５１ｄ，５１ｅ  一時貯留部
５２ｄ，５２ｅ  収納繰出部（収納部）
５３ｄ，５３ｅ  一時貯留・収納繰出部
５４  紙幣繰出部
５６Ａ  上部フラッパ（仕切部材）
５６Ｂ  下部フラッパ（仕切部材）
５７  プッシャ
５８  紙幣載置台
７０  昇降機構部
７９  昇降部
８７  連結機構部
１０５  プッシャ本体
１２２  引張バネ（付勢手段）
１３２  繰出ベース
１３７  当接部材
【図１】
0003844696.tif 000002
【図２】
0003844696.tif 000003
【図３】
0003844696.tif 000004
【図４】
0003844696.tif 000005
【図５】
0003844696.tif 000006
【図６】
0003844696.tif 000007
【図７】
0003844696.tif 000008
【図８】
0003844696.tif 000009
【図９】
0003844696.tif 000010
【図１０】
0003844696.tif 000011
【図１１】
0003844696.tif 000012
【図１２】
0003844696.tif 000013
【図１３】
0003844696.tif 000014
【図１４】
0003844696.tif 000015
【図１５】
0003844696.tif 000016
【図１６】
0003844696.tif 000017
【図１７】
0003844696.tif 000018
【図１８】
0003844696.tif 000019
【図１９】
0003844696.tif 000020
【図２０】
0003844696.tif 000021
【図２１】
0003844696.tif 000022
【図２２】
0003844696.tif 000023
【図２３】
0003844696.tif 000024
【図２４】
0003844696.tif 000025
【図２５】
0003844696.tif 000026
【図２６】
0003844696.tif 000027
【図２７】
0003844696.tif 000028
【図２８】
0003844696.tif 000029
【図２９】
0003844696.tif 000030
【図３０】
0003844696.tif 000031
【図３１】
0003844696.tif 000032